(57)【特許請求の範囲】
【請求項１】
下記を備える、ワイヤレス通信システムにおけるハンドオフの方法、
データ非アクティビティ期間中に、第１のネットワークにアタッチし、それとの間でコンテキストを作成することであって、前記コンテキストはハンドオフを実行するときに使用するための、前記第１のネットワークに関する情報であり、前記第１のネットワークが第２のネットワークと比較して好適でないネットワークである、アタッチし、コンテキストを作成することと、
前記第１のネットワークとの間で少なくとも部分コンテキストを維持しながら、前記第１のネットワークとの間で作成された前記コンテキストを休止状態にし、前記第２のネットワークにアタッチし、それとの間で新しいコンテキストを作成することによって、前記第２のネットワークに接続することと、
前記第２のネットワークの非可用性に基づいて前記第２のネットワークから前記第１のネットワークに切り替えること、
ここにおいて切り替えることが、前記元のコンテキストを回復することを備え、
前記元のコンテキストを回復することが、
シグナリングチャネルを使用して、パケットデータネットワークへの接続を確立するための要求を前記第１のネットワークに送信することと、
前記第１のネットワーク上でトラフィックチャネルを確立することと、
を備え、
ここにおいて前記トラフィックチャネルが確立される前に、前記パケットデータネットワークへの接続を確立するための前記要求が送信され、
パケットデータネットワークへの接続を確立するための前記要求が単一構成オプションメッセージをさらに備え、前記単一構成オプションメッセージが、少なくともアクセスポイント名とアクセスポイント名の長さとを備える、低減されたサイズの構成オプションメッセージであり、
前記部分コンテキストを使用することにより、前記低減されたサイズの構成オプションメッセージが、前記トラフィックチャネルを確立するために必要とされるフォーマットに変換される。
【請求項２】
前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、請求項１に記載の方法。
【請求項３】
通信ネットワークにおいて作用するワイヤレス通信装置であって、前記装置は下記を備える、
データ非アクティビティ期間中に、第１のネットワークにアタッチし、それとの間でコンテキストを作成することであって、前記コンテキストはハンドオフを実行するときに使用するための、前記第１のネットワークに関する情報であり、前記第１のネットワークが第２のネットワークと比較して好適でないネットワークである、アタッチし、コンテキストを作成することと、
前記第１のネットワークとの間で少なくとも部分コンテキストを維持しながら、前記第１のネットワークとの間で作成された前記コンテキストを休止状態にし、前記第２のネットワークにアタッチし、それとの間で新しいコンテキストを作成することによって、前記第２のネットワークに接続することと、
前記第２のネットワークの非可用性に基づいて前記第２のネットワークから前記第１のネットワークに切り替えることと
を行うように構成され、
ここにおいて切り替えることが、前記元のコンテキストを回復することを備え、
前記元のコンテキストを回復することが、
シグナリングチャネルを使用して、パケットデータネットワークへの接続を確立するための要求を前記第１のネットワークに送信することと、
前記第１のネットワーク上でトラフィックチャネルを確立することと
を備え、
ここにおいて前記トラフィックチャネルが確立される前に、前記パケットデータネットワークへの接続を確立するための前記要求が送信され、
パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、低減されたサイズの構成オプションメッセージであり、
前記部分コンテキストを使用することにより、前記低減されたサイズの構成オプションメッセージが、前記トラフィックチャネルを確立するために必要とされるフォーマットに変換される、プロセッサ。
【請求項４】
前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、請求項３に記載のワイヤレス通信装置。
【請求項５】
通信ネットワークにおいて作用するワイヤレス通信装置であって、前記装置は下記を備える、
データ非アクティビティ期間中に、第１のネットワークにアタッチし、それとの間でコンテキストを作成するための手段であって、前記コンテキストはハンドオフを実行するときに使用するための、前記第１のネットワークに関する情報であり、前記第１のネットワークが第２のネットワークと比較して好適でないネットワークである、アタッチし、コンテキストを作成するための手段と、
前記第１のネットワークとの間で少なくとも部分コンテキストを維持しながら、前記第１のネットワークとの間で作成された前記コンテキストを休止状態にし、前記第２のネットワークにアタッチし、それとの間で新しいコンテキストを作成することによって、前記第２のネットワークに接続するための手段と、
前記第２のネットワークの非可用性に基づいて前記第２のネットワークから前記第１のネットワークに切り替えるための手段、
ここにおいて前記切り替えるための手段が、前記元のコンテキストを回復するための手段に結合され、
前記回復するための手段が、
シグナリングチャネルを使用して、パケットデータネットワークへの接続を確立するための要求を前記第１のネットワークに送信するための手段と、
前記第１のネットワーク上でトラフィックチャネルの前記確立を開始するための手段と
を備え、
ここにおいて前記トラフィックチャネルが確立される前に、前記パケットデータネットワークへの接続を確立するための前記要求が送信され、
パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、低減されたサイズの構成オプションメッセージであり、
前記部分コンテキストを使用することにより、前記低減されたサイズの構成オプションメッセージが、前記トラフィックチャネルを確立するために必要とされるフォーマットに変換される。
【請求項６】
前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、請求項５に記載のワイヤレス通信装置。
【請求項７】
データ非アクティビティ期間中に、第１のネットワークにアタッチし、それとの間でコンテキストを作成することであって、前記コンテキストはハンドオフを実行するときに使用するための、前記第１のネットワークに関する情報であり、前記第１のネットワークが第２のネットワークと比較して好適でないネットワークである、アタッチし、コンテキストを作成することをコンピュータに行わせるためのコードと、
前記第１のネットワークとの間で少なくとも部分コンテキストを維持しながら、前記第１のネットワークとの間で作成された前記コンテキストを休止状態にし、前記第２のネットワークにアタッチし、それとの間で新しいコンテキストを作成することによって、前記第２のネットワークに接続することをコンピュータに行わせるためのコードと、
コンピュータに前記第２のネットワークの非可用性に基づいて前記第２のネットワークから前記第１のネットワークに切り替えさせるためのコードと、切り替えることが、前記元のコンテキストを回復することを備え、
コンピュータに、シグナリングチャネルを使用して、パケットデータネットワークへの接続を確立するための要求を前記第１のネットワークに送信させるためのコードと、
コンピュータに、前記第１のネットワーク上でトラフィックチャネルの前記確立を開始させるためのコードと
を記憶しているコンピュータ可読記憶媒体であって、
前記トラフィックチャネルが確立される前に、前記パケットデータネットワークへの接続を確立するための前記要求が送信され、
パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、低減されたサイズの構成オプションメッセージであり、
前記部分コンテキストを使用することにより、前記低減されたサイズの構成オプションメッセージが、前記トラフィックチャネルを確立するために必要とされるフォーマットに変換される、コンピュータ可読記憶媒体。
【請求項８】
前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、請求項７に記載のコンピュータ可読記憶媒体。
【発明の詳細な説明】
【関連出願の相互参照】
【０００１】
本出願は、その全体の中に参照により組み込まれる、２０１０年１１月１６日に出願された「APPARATUS AND METHOD FOR ENHANCED NON OPTIMIZED HANDOVER」と題する米国仮特許出願第６１／４１４，３６５号からの優先権を主張する。本出願はまた、その全体の中に参照により組み込まれる、２０１１年２月７日に出願された「IMPROVED NON-OPTIMIZED HANDOFF FROM A FIRST NETWORK TO A SECOND NETWORK」と題する米国仮特許出願第６１／４４０，３８２号からの優先権を主張する。
【技術分野】
【０００２】
本出願は、一般に通信に関し、より詳細には、ロングタームエボリューション(long-term evolution)（ＬＴＥ）ネットワークから発展型高速パケットデータ(evolved high rate packet data)（ｅＨＲＰＤ）ネットワークへのハンドオフに関する。
【背景技術】
【０００３】
ワイヤレス通信システムは、音声およびデータなど、様々なタイプの通信コンテンツを提供するために広く展開されている。典型的なワイヤレス通信システムは、利用可能なシステムリソース（たとえば、帯域幅、送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、これらのシステムは、第３世代パートナーシッププロジェクト（３ＧＰＰ）、３ＧＰＰ２、３ＧＰＰロングタームエボリューション（ＬＴＥ）、ＬＴＥ  Ａｄｖａｎｃｅｄ（ＬＴＥ−Ａ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。
【０００５】
高速データサービスおよびマルチメディアデータサービスに対する要求が急速に増大するにつれて、向上した性能をもつ効率的でロバストな通信システムの実装についての努力がなされている。たとえば、近年、ユーザは、固定回線通信をモバイル通信と取り替え始めており、高い音声品質、信頼できるサービス、および低価格をますます要求している。
【０００６】
増加する要求に対応するために、無線インターフェースの発展の後にワイヤレス通信システムのコアネットワークの発展が続いた。たとえば、３ＧＰＰによって導かれたＳｙｓｔｅｍ  Ａｒｃｈｉｔｅｃｔｕｒｅ  Ｅｖｏｌｕｔｉｏｎ（ＳＡＥ）は、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））／Ｇｅｎｅｒａｌ  Ｐａｃｋｅｔ  Ｒａｄｉｏ  Ｓｅｒｖｉｃｅ（ＧＰＲＳ）コアネットワークを発展させることを目的とする。結果として生じたＥｖｏｌｖｅｄ  Ｐａｃｋｅｔ  Ｃｏｒｅ（ＥＰＣ）は、オペレータが、複数の無線アクセス技術を用いて１つの共通のパケットベースコアネットワークを展開し、利用することを可能にする、インターネットプロトコル（ＩＰ）に基づく多重アクセスコアネットワークである。ＥＰＣは、モバイルデバイスのための最適化されたモビリティを提供し、異なる無線アクセス技術間（たとえば、ＬＴＥと高速パケットデータ（ＨＲＰＤ）との間）の効率的なハンドオーバを可能にする。さらに、規格化されたローミングインターフェースは、オペレータが様々なアクセス技術にわたって加入者にサービスを提供することを可能にする。
【発明の概要】
【０００７】
添付のクレームの範囲内のシステム、方法およびデバイスの様々な実装は、それぞれいくつかの態様を有し、それらのうちの単一の態様が、単独で、ここに説明する望ましい特性(attributes)を担うとは限らない。添付のクレームの範囲を限定することなしに、いくつかの顕著な特徴がここに説明される。
【０００８】
本明細書で説明する主題の１つまたは複数の実装の詳細は、添付の図面および以下の説明に示されている。他の特徴、態様、および利点は、明細書、図面、およびクレームから明らかになるであろう。以下の図の相対的な寸法は一定の縮尺で描かれていないことがあることに留意されたい。
【０００９】
本開示で説明する主題の一態様は、ワイヤレス通信システムにおけるハンドオフの方法の実装を提供する。本方法は、データ非アクティビティ(inactivity)期間中に、第１のネットワークにアタッチし、それとのコンテキストを作成することを含み、第１のネットワークは、第２のネットワークと比較して好適でない(non-preferred)ネットワークである。本方法はまた、第１のネットワークとの少なくとも部分コンテキストを維持しながら、第１のネットワークとの作成されたコンテキストに基づいて第２のネットワークに接続することを含む。本方法は、第１のネットワークから第２のネットワークに切り替えること、たとえば、ロングタームエボリューション無線アクセス技術から発展型高速パケットデータ無線アクセス技術に切り替えることを含み得る。切り替えることは、元のコンテキストを回復することを含み得る。
【００１０】
いくつかの実装では、元のコンテキストを回復することは、シグナリングチャネルを使用して、パケットデータネットワークへの接続を確立するための要求を第１のネットワークに送信することを含む。回復はまた、第１のネットワーク上でトラフィックチャネルを確立することを含み得る。いくつかの実装では、トラフィックチャネルが確立される前に、パケットデータネットワークへの接続を確立するための要求が送信される。ソースネットワークは、ロングタームエボリューション無線アクセス技術を使用するように構成されたネットワークであり得、ソースネットワークは、発展型高速パケットデータ無線アクセス技術を使用するように構成され得る。
【００１１】
本開示で説明する主題の別の態様は、通信ネットワークにおいて作用するワイヤレス通信装置を提供する。本装置はプロセッサを含む。本プロセッサは、データ非アクティビティ期間中に、第１のネットワークにアタッチし、それとのコンテキストを作成するように構成され、第１のネットワークは第２のネットワークと比較して好適でないネットワークである。本プロセッサは、第１のネットワークとの少なくとも部分コンテキストを維持しながら、第１のネットワークとの作成されたコンテキストに基づいて第２のネットワークに接続するようにさらに構成される。本プロセッサは、シグナリングチャネルを使用して、パケットデータネットワークへの接続を確立するための要求をターゲットネットワークに送信するように構成され得る。
【００１２】
本開示で説明する主題のさらに別の態様は、通信ネットワークにおいて作用するワイヤレス通信装置を提供する。本装置は、データ非アクティビティ期間中に、第１のネットワークにアタッチし、それとのコンテキストを作成するための手段を含み、第１のネットワークは第２のネットワークと比較して好適でないネットワークである。本装置はまた、第１のネットワークとの少なくとも部分コンテキストを維持しながら、第１のネットワークとの作成されたコンテキストに基づいて第２のネットワークに接続するための手段を含む。
【００１３】
本開示で説明する主題の別の態様は、コンピュータ可読媒体を備えるコンピュータプログラム製品を提供する。本コンピュータ可読媒体は、データ非アクティビティ期間中に、第１のネットワークにアタッチし、それとのコンテキストを作成することをコンピュータに行わせるためのコードを含み、第１のネットワークは第２のネットワークと比較して好適でないネットワークである。本コンピュータ可読媒体はまた、第１のネットワークとの少なくとも部分コンテキストを維持しながら、第１のネットワークとの作成されたコンテキストに基づいて第２のネットワークに接続するためのコードを含む。
【図面の簡単な説明】
【００１４】
【図１】図１は、例示的なワイヤレス通信ネットワークを示す。
【図２】図２は、様々な態様による、図１の通信ネットワークのいくつかの通信エンティティの機能ブロック図の例を示す。
【図３】図３は、図２に示した例示的なユーザ機器（ＵＥ）の機能ブロック図の例を示す。
【図４】図４は、ハンドオフが行われる前に図２の様々なエンティティの間で交換される信号フローを説明する例示的な信号フロー図を示す。
【図５】図５は、ハンドオフが行われるときに図２の様々なエンティティの間で交換される信号フローを説明する例示的な信号フロー図を示す。
【図６】図６は、ハンドオフが行われるときに図２の様々なエンティティの間で交換される信号フローを説明する別の例示的な信号フロー図を示す。
【図７Ａ】図７Ａは、ＶＮＳＣＰメッセージフォーマットの例を示す。
【図７Ｂ】図７Ｂは、別のＶＮＳＣＰメッセージフォーマットの例を示す。
【図７Ｃ】図７Ｃは、別のＶＮＳＣＰメッセージフォーマットの例を示す。
【図８】図８は、ハンドオフが行われる前に図２の様々なエンティティの間で交換される信号フローを説明する別の例示的な信号フロー図を示す。
【図９Ａ】図９は、構成要求メッセージフォーマットを説明する例を示す。
【図９Ｂ】図９は、構成要求メッセージフォーマットを説明する例を示す。
【図１０】図１０は、ワイヤレス通信システムにおけるハンドオフの方法のプロセスフロー図を示す。
【図１１】図１１は、ソースネットワークからターゲットネットワークへのワイヤレスデバイスのハンドオフに関連する情報を通信するための方法を説明する例を示す。
【図１２】図１２は、通信システムにおける様々なコンポーネントの機能ブロック図の例を示す。
【図１３】図１３は、別のワイヤレス通信デバイスの機能ブロック図を示す。
【図１４】図１４は、ワイヤレス通信システムにおけるノンオプティマイズド・ハンドオフ(non-optimized handoff)のための例示的なプロセスフローを示す。
【００１５】
慣例により、図面に示す様々な特徴は一定の縮尺で描かれていないことがある。したがって、様々な特徴の寸法は、明瞭のために任意に拡大または縮小されることがある。さらに、図面のいくつかは、所与のシステム、方法またはデバイスのコンポーネントのすべてを示しているとは限らないことがある。最後に、明細書および図の全体にわたって同様の特徴を示すために同様の参照数字が使用されることがある。
【詳細な説明】
【００１６】
添付のクレームの範囲内の実装の様々な態様は、以下で説明される。ここに説明する態様は広く多種多様な形態で実装され得、ここに説明する任意の特定の構造および／または機能は、単に実例となるものにすぎないことは明らかであろう。本開示に基づいて、ここに説明する態様は任意の他の態様から独立して実装され得ること、およびこれらの態様のうちの２つ以上は様々な方法で組み合わせられ得ることを当業者なら諒解されたい。たとえば、ここに示す任意の数の態様を使用して、装置が実装され得、および／または方法が実施され得る。さらに、ここに示す態様のうちの１つまたは複数に加えて、あるいはそれら以外の他の構造および／または機能を使用して、そのような装置が実装され得、および／またはそのような方法が実施され得る。
【００１７】
「例示的」という単語は、ここでは「例、事例、または例示の働きをすること」を意味するために使用される。「例示的」としてここに説明するいかなる実装も、必ずしも他の実装よりも好適または有利なものと解釈されるべきではない。以下の説明は、いかなる当業者でも本発明を製作および使用することができるように示される。説明の目的で、以下の説明において詳細が示される。本発明はこれらの特定の詳細の使用なしに実施され得ることを当業者は了解するであろうことを諒解されたい。他の例では、本発明の説明を不要な詳細で不明瞭に(obscure)しないために、よく知られている構造およびプロセスは詳述されない。したがって、本発明は、示される実装に限定されることを意図されたものではなく、ここに開示する原理および特徴と一致する最も広い範囲を与えられる(accorded)べきである。
【００１８】
ここに説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのような、様々なワイヤレス通信ネットワークのために使用され得る。「ネットワーク」および「システム」という用語は、しばしば互換的に使用される。ＣＤＭＡネットワークは、ユニバーサル地上波無線アクセス(Universal Terrestrial Radio Access)（ＵＴＲＡ）、ｃｄｍａ２０００などのような無線技術を実装し得る。ＵＴＲＡは、広帯域ＣＤＭＡ（Ｗ−ＣＤＭＡ（登録商標））および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などのような無線技術を実装し得る。ＵＴＲＡ、Ｅ−ＵＴＲＡ、およびＧＳＭ（登録商標）は、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ（登録商標）、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。これらの様々な無線技術および規格は当技術分野で知られている。
【００１９】
シングルキャリア変調および周波数領域等化(frequency domain equalization)を利用するシングルキャリア周波数分割多元接続（ＳＣ−ＦＤＭＡ）は、ワイヤレス通信システムにおいて使用される１つの技法である。ＳＣ−ＦＤＭＡは、ＯＦＤＭＡシステムと同様の性能および本質的に同じ全体的な複雑さ(overall complexity)を有する。ＳＣ−ＦＤＭＡ信号は、それの固有のシングルキャリア構造のために、より低いピーク対平均電力比(peak-to-average power ratio)（ＰＡＰＲ）を有する。ＳＣ−ＦＤＭＡは、特に、より低いＰＡＰＲが送信電力効率の点でモバイル端末に多大な利益になるアップリンク通信において、大きい注目を引いている。それは現在、３ＧＰＰロングタームエボリューション（ＬＴＥ）、またはＥｖｏｌｖｅｄ  ＵＴＲＡにおけるアップリンク多元接続方式に関する実用的な前提(assumption)である。
【００２０】
さらに、以下の説明では、簡潔性および明暸性の理由で、ロングタームエボリューション（ＬＴＥ）Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）システムに関連する用語が使用される。ＬＴＥ  Ｅ−ＵＴＲＡ技術は、その全体の中に参照によりここに組み込まれる、３ＧＰＰ  ＴＳ２３．４０１：ＧＰＲＳ  Ｅｎｈａｎｃｅｍｅｎｔｓ  ｆｏｒ  Ｅ−ＵＴＲＡＮ  Ａｃｃｅｓｓ（Ｒｅｌｅａｓｅ  ８）にさらに記載されている。本発明はまた、広帯域符号分割多元接続（ＷＣＤＭＡ（登録商標））、時分割多元接続（ＴＤＭＡ）、直交周波数分割多元接続（ＯＦＤＭＡ）、発展型高速パケットデータ（ｅＨＲＰＤ）などに関係する技術およびその関連規格など、他の技術に適用でき得ることが強調されるべきである。異なる技術に関連する用語は異なることがある。たとえば、考察する技術に依存して、ＬＴＥにおいて使用されるユーザ機器（ＵＥ）は、ほんのいくつかの例を挙げれば、移動局、ユーザ端末、加入者ユニット、アクセス端末などと時々呼ばれることがある。同様に、ＬＴＥにおいて使用されるサービングゲートウェイ（ＳＧＷ）は、ゲートウェイ、ＨＲＰＤサービングゲートウェイなどと時々呼ばれることがある。同様に、ＬＴＥにおいて使用される発展型ノードＢ（ｅＮＢ）は、アクセスノード、アクセスポイント、基地局、ノードＢ、ＨＲＰＤ基地局（ＢＴＳ）などと時々呼ばれることがある。ここでは、適用できるとき、異なる用語が異なる技術に適用されることに留意されたい。
【００２１】
さらに、以下の説明では、簡潔性および明瞭性の理由で、発展型高速パケットデータ（ｅＨＲＰＤ）システムに関連する用語も使用される。Ｅ−ＵＴＲＡＮとｅＨＲＰＤとの間のネットワーキングに関連する態様は、その全体の中に参照によりここに組み込まれる、３ＧＰＰ２  Ｘ．Ｐ００５７：Ｅ−ＵＴＲＡＮ−ｅＨＲＰＤ  Ｃｏｎｎｅｃｔｉｖｉｔｙ  ａｎｄ  Ｉｎｔｅｒｗｏｒｋｉｎｇ：Ｃｏｒｅ  Ｎｅｔｗｏｒｋ  Ａｓｐｅｃｔｓにさらに記載されている。本発明はまた、前に説明したように他の技術に適用でき得ることが強調されるべきである。
【００２２】
図１は例示的なワイヤレス通信ネットワークを示す。ワイヤレス通信ネットワーク１００は、いくつかのユーザ間の通信をサポートするように構成される。ワイヤレス通信ネットワーク１００は、たとえば、セル１０２ａ〜１０２ｇなど、１つまたは複数のセル１０２に分割され得る。セル１０２ａ〜１０２ｇ中の通信カバレージは、たとえば、ノード１０４ａ〜１０４ｇなど、１つまたは複数のノード１０４（たとえば、基地局）によって提供され得る。各ノード１０４は、対応するセル１０２に通信カバレージを提供し得る。ノード１０４は、たとえば、ＡＴ１０６ａ〜１０６ｌなど、複数のアクセス端末（ＡＴ）とインタラクトし(interact)得る。
【００２３】
各ＡＴ１０６は、所与の瞬間に順方向リンク（ＦＬ）および／または逆方向リンク（ＲＬ）上で１つまたは複数のノード１０４と通信し得る。ＦＬは、ノードからＡＴへの通信リンクである。ＲＬは、ＡＴからノードへの通信リンクである。ＦＬはダウンリンクと呼ばれることもある。さらに、ＲＬはアップリンクと呼ばれることもある。ノード１０４は、たとえば、適切な有線の(wired)またはワイヤレスインターフェースによって相互接続され得、互いに通信することが可能であり得る。したがって、各ＡＴ１０６は、１つまたは複数のノード１０４を介して別のＡＴ１０６と通信し得る。
【００２４】
ワイヤレス通信ネットワーク１００は広い地理的領域にわたってサービスを提供し得る。たとえば、セル１０２ａ〜１０２ｇは、近傍(neighborhood)内の数ブロックまたは地方(rural)環境における数平方マイルのみをカバーし得る。一実装では、各セルは、１つまたは複数のセクタ（図示せず）にさらに分割され得る。
【００２５】
上述のように、ノード１０４は、それのカバレージエリア内で、たとえばインターネットまたは別のセルラーネットワークなど、別の通信ネットワークへのアクセスをアクセス端末（ＡＴ）１０６に提供し得る。
【００２６】
ＡＴ１０６は、通信ネットワークを通して音声またはデータを送信および受信するためにユーザによって使用されるワイヤレス通信デバイス（たとえば、モバイルフォン、ルータ、パーソナルコンピュータ、サーバなど）であり得る。アクセス端末（ＡＴ）は、ここでは、ユーザ機器（ＵＥ）、移動局（ＭＳ）、または端末デバイスと呼ばれることもある。図示のように、ＡＴ１０６ａ、１０６ｈ、および１０６ｊはルータを備える。ＡＴ１０６ｂ〜１０６ｇ、１０６ｉ、１０６ｋ、および１０６ｌはモバイルフォンを備える。ただし、ＡＴ１０６ａ〜１０６ｌの各々は、任意の適切な通信デバイスを備え得る。
【００２７】
図２は、様々な態様による、図１の通信ネットワークのいくつかの通信エンティティの機能ブロック図の例を示す。図２に示すコンポーネントは、マルチモードデバイスが、モバイルデバイスが現在動作しているロケーションにおけるネットワークの構成に依存して、複数の無線アクセス技術（ＲＡＴ）、たとえばｅＨＲＰＤネットワークまたはＬＴＥネットワークのいずれか、を使用して通信し得るシステムを示す。図２に示すように、システム２００は、ＬＴＥ無線アクセス技術を使用してＵＥ２０６と発展型ノードＢ（ｅＮＢ）２０８ａ（たとえば、基地局、アクセスポイントなど）との間のワイヤレス無線通信を提供する無線アクセスネットワークＲＡＮを含み得る。システムはまた、ｅＨＲＰＤ無線アクセス技術を使用してＵＥ２０６とＨＲＰＤ送受信基地局（ＢＴＳ）２１０（たとえば、基地局、アクセスポイントなど）との間のワイヤレス無線通信を提供するＲＡＮを示す。議論を簡単にするために、図２は、ＲＡＮ中のＵＥ２０６および１つのｅＮＢ２０８ａ、ならびに別のＲＡＮ中の１つのＨＲＰＤ  ＢＴＳ２０８ｂを示しているが、各ＲＡＮは任意の数のＵＥおよび／またはｅＮＢ／ＨＲＰＤ  ＢＴＳを含み得ることを諒解されたい。一態様に従って、ｅＮＢ２０８ａおよびＨＲＰＤ  ＢＴＳ２０８ｂは、順方向リンクまたはダウンリンクチャネルを通してＵＥ２０６に情報を送信し得、ＵＥ２０６は、逆方向リンクまたはアップリンクチャネルを通してｅＮＢ２０８ａとＨＲＰＤ  ＢＴＳ２０９ｂとに情報を送信し得る。図示のように、ＲＡＮは、ＬＴＥ、ＬＴＥ−Ａ、ＨＳＰＡ、ＣＤＭＡ、高速パケットデータ（ＨＲＰＤ）、発展型ＨＲＰＤ（ｅＨＲＰＤ）、ＣＤＭＡ２０００、ＧＳＭ（登録商標）、ＧＰＲＳ、ｅｎｈａｎｃｅｄ  ｄａｔａ  ｒａｔｅ  ｆｏｒ  ＧＳＭ（登録商標）  ｅｖｏｌｕｔｉｏｎ（ＥＤＧＥ）、ＵＭＴＳなど、それらに限定されるわけではないが、それらのような無線アクセス技術の任意の適切なタイプを利用することができる。
【００２８】
ＲＡＮ、詳細には、ｅＮＢ２０８ａおよびＨＲＰＤ  ＢＴＳ２０８ｂは、課金（たとえば、サービスのための使用料など）、セキュリティ（たとえば、暗号化および完全性(integrity)保護）、加入者管理、モビリティ管理、ベアラ(bearer)管理、ＱｏＳ処理、データフローのポリシー制御、および／または外部ネットワーク２２０との相互接続を可能にするコアネットワークと通信することができる。ＲＡＮおよびコアネットワークは、たとえば、Ｓ１インターフェースを介して通信することができる。コアネットワークは、ＲＡＮ２１０からの制御シグナリングのためのエンドポイントであり得るモビリティ管理エンティティ（ＭＭＥ）２１６を含むことができる。ＭＭＥ２１６は、モビリティ管理（たとえば、追跡(tracking)）、認証、およびセキュリティなどの機能を提供することができる。ＭＭＥ２１６は、Ｓ１インターフェースを介してＲＡＮと通信することができる。コアネットワークはまた、ＬＴＥ  ＲＡＮにコアネットワークを接続するユーザプレーンノード(user plane node)であるサービングゲートウェイ（Ｓ−ＧＷ）２１０を含むことができる。コアネットワークはまた、ｅＨＲＰＤ  ＲＡＮにコアネットワークを接続するＨＲＰＤサービングゲートウェイ（ＨＳＧＷ）２１４を含み得る。ｅＨＲＤＰ  ＲＡＮはまた、ＨＲＰＤ  ＢＴＳ２０８ｂとＨＳＧＷ２１４との間のパケットのリレー(relay)を管理する、発展型アクセスノード（ｅＡＮ）および発展型パケット制御機能（ｅＰＣＦ）エンティティ２１２を含む。一態様では、ＭＭＥ２１６は、Ｓ１１インターフェースを介してＳ−ＧＷ２１０またはｅＡＮ／ｅＰＣＦ２１２と通信することができる。さらに、Ｓ−ＧＷ２１０およびＨＳＧＷ２１４は、ｅＨＲＰＤネットワークとＥＰＣとの間のインターオペラビリティ(interoperability)を促進する(facilitate)ために通信し得る。別の態様では、ＭＭＥ２１６およびＳ−ＧＷ２１０は、単一のノードとして、ユーザのための単一のエンドポイントを提供するように、およびＲＡＮから始まりおよび／またはＲＡＮにおいて終了するシグナリングを制御するように、構成され得る。ネットワークはまた、ポリシーおよび課金ルール機能（ＰＣＲＦ）２３０を含み得る。ＰＣＲＦ２３０は、Ｓ−ＧＷ２１０、ＨＳＧＷ２１４、ＰＤＮ  ＧＷ２１８およびコアネットワーク２２０と通信し得る。
【００２９】
コアネットワークはまた、コアネットワーク（および、ＲＡＮ）と外部ネットワークとの間の通信を促進するパケットデータネットワーク（ＰＤＮ）ゲートウェイ（ＧＷ）２１８を含むことができる。ＰＤＮ  ＧＷ２１８は、パケットフィルタリング、ＱｏＳポリシング(QoS policing)、課金(charging)、ＩＰアドレス割振り、および外部ネットワークへのトラフィックのルーティングを提供することができる。一例では、Ｓ−ＧＷ２１０およびＰＤＮ  ＧＷ２１８は、Ｓ５インターフェースを介して通信することができる。図２には別個のノードとして示されているが、たとえば、Ｓ−ＧＷ２１０およびＰＤＮ  ＧＷ２１８は、コアネットワーク２２０中のユーザプレーンノードを低減するために単一のネットワークノードとして動作するように構成され得ることを諒解されたい。一態様では、コアネットワークはまた、３ＧＰＰ認証、許可およびアカウンティング（ＡＡＡ）サーバ／プロキシ２３４ならびに３ＧＰＰ２  ＡＡＡサーバ／プロキシ２３６を含み得、これらは互いに通信し、さらにそれぞれＰＤＮ−ＧＷ２１８およびＨＳＧＷ２１４と通信し得る。コアネットワークはまた、ＭＭＥ２１６および３ＧＰＰ  ＡＡＡサーバ／プロキシ２３４と通信し得るホーム加入者サービス（ＨＳＳ）エンティティ２３２を含み得る。
【００３０】
コアネットワークは、ＰＤＮ  ＧＷ２１８を介して外部ネットワークと通信することができる。図示しない外部ネットワークは、公衆交換電話網（ＰＳＴＮ）、ＩＰマルチメディアサブシステム（ＩＭＳ）、および／またはＩＰネットワークなど、それらに限定されるわけではないが、それらのようなネットワークを含むことができる。ＩＰネットワークは、インターネット、ローカルエリアネットワーク、ワイドエリアネットワーク、イントラネットなどであり得る。図２に示した構成は単に１つの可能な構成の例にすぎず、以下で説明する様々な態様および実装に従って多くの他の構成および追加のコンポーネントが使用され得ることを諒解されたい。
【００３１】
図３は、図２に示した例示的なユーザ機器（ＵＥ）の機能ブロック図の例を示す。ワイヤレスデバイス３０２は、ＬＴＥまたはｅＨＲＰＤを使用するなど、異なる無線アクセス技術（ＲＡＴ）を使用して動作することが可能なマルチモードであり得る。デバイス３０２は、ここに説明する様々な方法を実装するように構成され得るデバイスの例である。ワイヤレスデバイス３０２は、図１〜図２に示したデバイスのうちのいずれかを実装し得る。
【００３２】
デバイス３０２は、デバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に提供する。メモリ３０６の一部分は不揮発性ランダムアクセスメモリ（ＮＶＲＡＭ）をも含み得る。プロセッサ３０４は、メモリ３０６内に記憶されたプログラム命令に基づいて、論理および算術演算を実行し得る。メモリ３０６中の命令は、ここに説明する方法を実装するために実行可能であり得る。
【００３３】
メモリ３０６中のデータは構成データを含み得る。構成データはメモリ３０６にプリロードされ得る。構成データは、（たとえば、インターフェース、ＳＩＭカード、ダウンロード、無線(over the air)を介して）デバイス３０２のユーザから取得され得る。プロセッサ３０４は、さらに構成データに基づいて論理および算術演算を実行し得る。含まれ得る構成データの１つのタイプはネットワークプリファレンスである。たとえば、デバイス３０２は、ｅＨＲＰＤネットワークの反対のＬＴＥネットワークにアクセスすることを選好する(prefer)ように構成され得る。この場合、ＬＴＥネットワークは好適なネットワークと呼ばれることがあり、ｅＨＲＰＤネットワークは好適でないネットワークと呼ばれることがある。プリファレンスは、ユーザ入力、サービスプロバイダ入力、サービスプロバイダ、帯域幅、サブスクリプション、無線アクセス技術、シグナリングモードなどのファクタに基づき得る。
【００３４】
いくつかの実装では、ネットワークプリファレンスは、少なくとも部分的に、プリファレンスによって編成された(organized)いくつかのネットワークを含み得る。第１の好適なネットワークが利用可能でない場合、プロセッサ３０４はデバイス３０２に第２のネットワークをシーク(seek)させ得る。第２のネットワークが利用不可能である場合、プロセッサはデバイス３０２にネットワークのリストを介して続けさせ得る。いくつかの実装では、プロセッサ３０４は、前に利用不可能であったが好ましいネットワークと接続することを再試行するための命令を含み得る。
【００３５】
プロセッサ３０４は、１つまたは複数のプロセッサとともに実装された処理システムのコンポーネントを備え得るか、またはそれのコンポーネントであり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械(state machines)、ゲート論理(gated logic)、個別ハードウェアコンポーネント、専用ハードウェア有限状態機械、あるいは情報の計算または他の操作を実行することができる任意の他の適切なエンティティの任意の組合せを用いて実装され得る。
【００３６】
処理システムはまた、ソフトウェアを記憶するための機械可読媒体を含み得る。ソフトウェアは、ソフトウェア、ファームウェア、ミドルウェア、マイクロコード、ハードウェア記述言語と呼ばれるかそうでないかにかかわらず、任意のタイプの命令を意味すると広く解釈されたい。命令は、（たとえば、ソースコード形式、バイナリコード形式、実行可能コード形式、または任意の他の適切なコード形式の）コードを含み得る。命令は、１つまたは複数のプロセッサによって実行されたとき、ここに説明する様々な機能を処理システムに実行させる。
【００３７】
デバイス３０２は、たとえばワイヤレスでおよび／または多くの知られているインターフェースのうちの１つを通して、データまたは命令の送信および受信を可能にするために、送信機３１０と受信機３１２とを含み得るハウジング(housing)３０８をも含み得る。送信機３１０と受信機３１２とは、組み合わされてトランシーバ３１４になり得る。いくつかの態様では、単一または複数の送信アンテナは、ハウジング３０８に取り付けられ得、トランシーバ３１４に電気的に結合され得る。たとえば、デバイス３０２が、ＵＥまたはＡＴ１０６ａ、あるいはＡＰ１０４ａまたはｅＮＢ２０８ａまたはＨＲＰＤ  ＢＴＳ２０８ｂを実装するために使用されるときに、デバイス３０２は１つまたは複数のアンテナを備え得る。デバイス３０２はまた、（図示しない）複数の送信機、複数の受信機、および／または複数のトランシーバを含み得る。
【００３８】
いくつかの態様では、デバイス３０２はまた、トランシーバ３１４によって受信された信号のレベルを検出および定量化するために使用され得る信号検出器３１８を含む。信号検出器３１８は、総エネルギー、シンボルごとのサブキャリア当たりのエネルギー(energy per subcarrier per symbol)、電力スペクトル密度および他の信号などの信号を検出し得る。
【００３９】
デバイス３０２はまた、信号を処理する際に使用するためのデジタル信号プロセッサ（ＤＳＰ）３２０を含み得る。
【００４０】
デバイス３０２の様々なコンポーネントは、データバスに加えて、電力バス、制御信号バス、およびステータス信号バスを含み得るバスシステム３２２によって互いに結合され得る。デバイス３０２は、当業者によって理解されるように、他のコンポーネントまたは要素をさらに含み得る。
【００４１】
別個に説明したが、デバイス３０２に関して説明した機能ブロックは別個の構造要素である必要がないことを諒解されたい。たとえば、プロセッサ３０４およびメモリ３０６は単一のチップ上で統合され(embodied)得る。プロセッサ３０４は、追加、または代替として、プロセッサレジスタなど、メモリを含み得る。同様に、機能ブロックのうちの１つまたは複数、あるいは様々なブロックの機能の部分が、単一のチップ上で統合され得る。代替的に、特定のブロックの機能が２つ以上のチップ上に実装され得る。
【００４２】
本明細書および添付のクレームでは、「回路(circuitry)」という用語は、機能上の用語としてではなく構造上の用語として解釈されることが明らかなはずである。たとえば、回路は、図３に図示および説明する処理および／またはメモリセル、ユニット、ブロックなどの形態の多数の集積回路コンポーネントなど、回路コンポーネントの集合体(aggregate)であり得る。ＵＥ２０６ａに関して説明した機能ブロックのうちの１つまたは複数、および／あるいは機能ブロックの１つまたは複数の組合せはまた、コンピューティングデバイスの組合せ、たとえば、ＤＳＰとマイクロプロセッサとの組合せ、複数のマイクロプロセッサ、ＤＳＰ通信と連結する１つまたは複数のマイクロプロセッサ、あるいは任意の他のそのような構成として実装され得る。
【００４３】
ＵＥがネットワーク全体にわたって移動する際、ＵＥは、１つの無線アクセス技術（ＲＡＴ）を使用するネットワークの部分から別のＲＡＴを使用するネットワークの別の部分へのハンドオフを実行するように要求され得る。たとえば、図２に示したように、マルチモードＵＥは、ＬＴＥ無線アクセス技術を使用するネットワークからｅＨＲＰＤ無線アクセス技術を使用するネットワークの別の部分に移行するように構成され得る。ハンドオフは、ネットワークに結合された１つのチャネルから別のチャネルに進行中の呼またはデータセッションを転送するプロセスを指し得る。チャネルは、同じネットワーク上にあるか、または現在のチャネルとは異なるネットワークに結合され得る。「ハンドオーバ」という用語は、ハンドオフを指すためにも使用され得る。ハンドオフを実行するとき、ＵＥおよびターゲットネットワークは、新たなセッションを確立し、ターゲットネットワーク上でデータを送信および受信するためのトラフィックチャネルを構成するために、様々なシグナリングを交換し得、様々な動作を実行し得る。好ましくは、ハンドオフ中にサービスの中断が生じるべきでない。
【００４４】
一態様では、ターゲットネットワークへの接続を確立するために要求されるシグナリングのために必要な時間のために生じ得る中断を低減するために、ハンドオフが「最適化(optimized)」され得る。たとえば、ＵＥ２０６がｅＨＲＰＤ無線セッションおよびＨＳＧＷ２１４コンテキストを確立し、維持することを可能にするために、Ｓ１０１インターフェースなどのインターフェースが使用され得る。言い換えれば、ＵＥ２０６がＬＴＥ  ＲＡＮ上でアクティブである間、「最適化」ハンドオフはｅＨＲＰＤおよびＰＰＰコンテキストの事前確立および維持を可能にし得る。アクティブハンドオフ中に、インターフェースによって定義されたトンネルを介してトラフィックチャネル割当てプロシージャが実行され得る。「最適化」ハンドオフは、データを送信するために中断ギャップを、たとえば、３００ミリ秒未満に低減し得、これはシームレスボイスオーバーＩＰ（ＶｏＩＰ）転送を可能にするのに十分短いものであり得る。
【００４５】
別の態様では、ハンドオフは「非最適化」され得る。「ノンオプティマイズド(non-optimized)」ハンドオフは、２つの異なる状況において適用され得る。１つのシナリオでは、ＵＥ２０６があるＲＡＴから別のＲＡＴに移行するとき、ＵＥは、ハンドオフを実行するときに使用するためのターゲットネットワークに関する情報（コンテキスト）を有しないことがある。たとえば、ＵＥは、最初にＬＴＥ  ＲＡＮへの接続を確立し得、後で、ＵＥが前にそれへの接続を確立しなかったｅＨＲＰＤ  ＲＡＮに移行し得る。このシナリオでは、ｅＨＲＰＤ無線セッションを確立すること、ｅＨＲＰＤパイロット取得およびオーバーヘッド更新を実行すること、ならびに以下で説明するような様々な他の動作などのタスクが、ハンドオフ中に実行され得る。このシナリオでは、様々な信号が交換され、動作が完了された際に、著しい中断ギャップが生じることがある。
【００４６】
別のシナリオでは、ハンドオフは、それのための部分コンテキストが存在する、ｅＨＲＰＤ  ＲＡＮなど、ターゲットネットワークへのものであり得る。たとえば、ＵＥは、最初にｅＨＲＰＤ  ＲＡＮへの接続を確立し得、後でＬＴＥ  ＲＡＮに移行し得る。ＵＥがＬＴＥとの新しいセッションを確立するとき、ＵＥおよびｅＨＲＰＤネットワークは、ｅＨＲＰＤ  ＲＡＮとの確立されたコンテキストに関するいくらかの情報を保存または保持し得る。後で、ＵＥが元のｅＨＲＰＤ  ＲＡＮに移行した場合、ＵＥおよびｅＨＲＰＤネットワークは、新しいセッションを確立し、トラフィックチャネルなどを構成するために、その情報（すなわち、部分コンテキスト）を使用し得る。
【００４７】
一般に、ｅＨＲＰＤ  ＲＡＮなど、ターゲットＲＡＮとデータを交換し始めるために、新しい無線セッションと新しいＰＰＰコンテキストの両方が、ハンドオフが完了されるために確立され得る。ｅＨＲＰＤ  ＲＡＮとのＰＰＰコンテキストを確立することは、他のタスクの中で、リンク制御プロトコル（ＬＣＰ）コンテキスト、（たとえば認証およびキー一致のための拡張認証プロトコル（ＥＡＰ−ＡＫＡ）を使用した）許可コンテキスト、ベンダー固有のネットワーク制御プロトコル（ＶＳＮＣＰ）コンテキスト、およびＱｏＳコンテキストを確立することをさらに含み得る。上述の部分コンテキストがすでに存在する場合、無線セッション、ＬＣＰコンテキストおよび許可コンテキストは、部分コンテキストの使用によって構成され得、ハンドオフ中に完全に実行されるとしても、そのようにされる必要がないことがある。これは、ハンドオフ中に生じ得る中断を低減し得るが、ＶＳＮＣＰコンテキストは依然としてハンドオフプロシージャ中に確立されなければならないことがある。ＶＳＮＣＰコンテキストを確立するために必要な時間は、依然として、トラフィックフローに著しい途絶(disruption)を引き起こす望ましくない中断ギャップを生じることがある。
【００４８】
一例では、ｅＨＲＰＤセッション／ＰＰＰ部分コンテキストは、ＬＴＥにキャンプオン(camping on)した後に作成され得る。ｅＨＲＰＤセッションと部分コンテキストとを作成するためにｅＨＲＰＤに移行する前にＬＴＥデータを中断する(suspend)ことが望ましいことがある。したがって、コンテキスト作成のタイミングおよび部分コンテキストの以後の維持は、ハンドオフを改善するように構成され得る。いくつかの実装では、ＵＥは、それがＬＴＥシステムを一時的に離れていることをｅノードＢに知らせるために、ｅノードＢと通信しないことがある。その結果、これは、ＬＴＥシステムに通知することなしにページングを消失させ得る。代替的に、ＵＥ実装固有のソリューションがデバイスに複雑さを追加する。別の態様では、ＵＥがＬＴＥシステムへのハンドオフを実行するときに、ｅＨＲＰＤシステムにおいてｅＨＲＰＤセッション／ＰＰＰ部分コンテキストが更新されることを保証することが望ましいことがある。これは、ＵＥがＬＴＥトラフィックチャネル上にあり、ならびに／またはＵＥがマスタセッションキー（ＭＳＫ）有効期間(lifetime)および部分コンテキストタイマーに気づいていない場合、ＵＥがｅＨＲＰＤに同調することが可能でないことがあるので、すべての実装において可能であるとは限らない。したがって、ＬＴＥからｅＨＲＰＤへのハンドオフが行われるとき、部分コンテキストが期限切れ(expired)であることがある。
【００４９】
いくつかの実装では、ハンドオフ性能利得が「部分コンテキスト維持(partial context maintenance)」の使用によって達成され得る。たとえば、ハンドオフ中断時間の分析は、（トンネルを通して取得されたトラフィックチャネル割当て（ＴＣＡ）に基づくブレークタイムおよび同調トラフィックチャネルにより）最適化ハンドオフが約１００ミリ秒を要することを示す。また、ノンオプティマイズド・ハンドオフは、（オーバーヘッドメッセージ処理、ＨＲＰＤアクセスおよびＴＣＡ、ＶＳＮＣＰプロシージャ、ＱｏＳセットアップなどにより）約１．６秒を要する。ｅＨＲＰＤを初期登録し、アイドル状態でＬＴＥでのセッションおよび部分コンテキストを維持するいくつかの実装では、ハンドオフは、（オーバーヘッドメッセージ処理、ＨＲＰＤアクセス＋ＴＣＡ、ＶＳＮＣＰプロシージャ、ＱｏＳセットアップなどにより）約１．６秒を要し得る。これは、標準のノンオプティマイズド・ハンドオフに勝る改善を提供しない。いくつかの実装では、これは実際にサービスを低下させ(degrade)得る。たとえば、ストリーミングメディアは、そのようなブレークでサポートされ得る。しかしながら、ストリーミングメディアはまた、十分なデータをバッファすることができる。別の例では、ボイスオーバーインターネットプロトコル（ＶｏＩＰ）およびビデオテレフォニー（ＶＴ）などのリアルタイムサービスが、Ｓ１０１ベースの最適化ハンドオフを含み得る。リアルタイムサービスの場合、ブレークは約１００ミリ秒であり得る。
【００５０】
別の態様では、ＵＥがＬＴＥのディープカバレージ中にある場合、ｅＨＲＰＤセッションおよびＰＰＰセッションの維持が有用ではないことがある。たとえば、ＵＥがＬＴＥネットワークを使用している間に、ＵＥがｅＨＲＰＤのためのサブネット境界を移動することがある。ＵＥがサブネット境界を検出し、ｅＨＲＰＤネットワークに再登録することを続けることが望ましくないことがある。ＵＥが十分にＬＴＥカバレージ下にある場合は、たいがい、ＵＥはｅＨＲＰＤへのハンドオフを実行しないことがあるので、ｅＨＲＰＤのサブネットが変化しても、その変化は無関係(irrelevant)であり得る。ハンドオフは、ＬＴＥカバレージのエッジにおいて必要とされ得る。いくつかの展開では、限られた数のｅＨＲＰＤサブネットのみがＬＴＥカバレージのエッジにある。ＬＴＥ中にカバレージホールがあり、ＵＥがｅＨＲＰＤに移行される必要がある場合に、セッション転送が行われ得る。ただし、これは、頻繁なイベントであるとは考えられない。いくつかの実装は、ＬＴＥネットワークがＬＴＥカバレージのエッジをどのように示すことができるかを明確に指定しない。
【００５１】
別の態様では、いくつかの最適化がＵＥに複雑さをもたらす(introduce)ことがある。たとえば、ＬＴＥ取得の後にｅＨＲＰＤを選択するための要件は、既存のプロシージャ（たとえば、マルチモードシステム選択（ＭＭＳＳ）プロシージャ）の修正を要求する。これは、この提案を可能にするためのデバイスにおける固有の回避方法(workarounds)を含み得る。ｅＨＲＰＤセッションと部分コンテキストとを作成するためにｅＨＲＰＤに移行する前に、ＬＴＥデータが中断される必要がある。また、ｅＨＲＰＤを通してコンテキストを維持することは、デバイスのバッテリー寿命に影響を与え得る。たとえば、ＵＥがディープＬＴＥカバレージ中にあり、ｅノードＢがｅＨＲＰＤネイバー情報を送るときの追加または冗長ＨＲＰＤセッション維持は、バッテリーリソースを消費し得る。部分ＰＰＰコンテキストは維持される必要がある。これは、ＬＴＥネットワークの境界上でのみ起こり得る、ＵＥがＬＴＥからｅＨＲＰＤに移行することが必要になるまでは不要であり得る。
【００５２】
一態様では、ＵＥ実装に基づいて、ＵＥは、電源投入時など、データ非アクティビティ期間中にｅＨＲＰＤネットワーク上で初期アタッチを実行し得る。ＬＴＥネットワークが利用可能であっても、ＵＥは、ｅＨＲＰＤネットワーク上で「初期アタッチ」を実行し得る。一例では、このステップは、「モード設定」値を「グローバル設定」の代わりに「Ｃ２Ｋモード」に設定することによって制御され得る。ｅＨＲＰＤを通してフルコンテキストを作成し、次いでＬＴＥに移行するように、ＵＥは構成され得る。ＨＳＧＷは、ＬＴＥからＰＭＩＰ取消しを受信したときに部分コンテキストを保つように構成され得る。一例では、ＨＧＳＷは、部分コンテキストタイマー（たとえば、ＵＥコンテキスト維持タイマー）を含み得る。部分コンテキスト時間は、大きい値で初期化され得、たとえば、部分コンテキスト移行時にＭＳＫ有効期間値の残りの値に設定され得る。
【００５３】
したがって、部分コンテキストは、第１のネットワーク上で作成され、維持され、第２の好適なネットワークが利用不可能になった場合にハンドオフを受信するために利用可能である。この手法は、上記の例ではｅＨＲＰＤネットワークである第１のネットワークのためのコンテキストのタイミングおよび維持に対処する。部分コンテキストがどのようにフルコンテキストに回復されるかを最適化することは、以下でさらに詳細に議論するようにハンドオフをさらに改善し得る。
【００５４】
図４は、ハンドオフが行われる前に図２の様々なエンティティの間で交換される信号フローを説明する例示的な信号フロー図を示す。詳細には、図４は、ｅＨＲＰＤ  ＲＡＮとの部分コンテキストを確立するために、ハンドオフが行われる前に交換され得る信号を説明するフロー図の例を示す。一態様では、これは事前登録段階として説明され得る。この段階では、ＵＥは、ＬＣＰ、Ａ１０および認証コンテキストの確立を含み得る、ｅＨＲＰＤ  ＲＡＮへの部分アタッチを実行し得る。図４および以下で説明する図は、４０２においてＵＥ２０６が、ｅＨＲＰＤを通して部分コンテキストを確立すると判断したときに、図２に示した様々なエンティティ間で流れ得る信号の例を示す。部分コンテキストを確立するために、ＵＥは、４０４においてｅＨＲＰＤセッション確立を実行し、４０６においてｅＡＮ／ｅＰＣＦ２１２との（たとえば、Ａ１２認証を使用する）デバイス認証を実行する。これは、４０８においてＨＳＧＷ２１４とのＡ１０接続セットアップおよびポイントツーポイントプロトコル（ＰＰＰ）ＬＣＰ確立を伴う。４１０ａ、４１０ｂおよび４１０ｃにおいて、ＥＡＰ−ＡＫＡ認証コンテキストも確立される。認証の後、４１２において、ＨＳＧＷ２１４が、加入者プロファイル、デフォルトアクセスポイント名（ＡＰＮ）、ネットワークアクセス識別子（ＮＡＩ）、および部分コンテキストのための他の必要な情報をキャッシュし得る。次いで、４１４において、ＨＳＧＷは部分コンテキストを維持し得る。部分コンテキストが確立された後、４１６において、ＵＥはＥ−ＵＴＲＡネットワークに同調し得る。
【００５５】
図４に示したように部分コンテキストが確立された後、部分コンテキストを使用した実際のハンドオフが行われ得る。図５は、ハンドオフ段階中に交換され得る信号を説明するフロー図の例を示す。ハンドオフ段階において、ＵＥはＶＳＮＣＰコンテキストを確立し得、ハンドオフアタッチを実行し得るが、部分コンテキストが使用され得るときは、ＬＣＰおよび許可コンテキストを確立する必要がないことがある。図５に示すように、５０４において、ＵＥ２０６がｅＨＲＰＤへのハンドオフが必要であると判断したとき、５０２において、ＵＥがＥ−ＵＴＲＡネットワーク上で動作していることがある。５０６において、パイロット取得およびオーバーヘッド更新が実行され、５０８において、トラフィックチャネルが確立される。ＵＥ２０６はＵＥ２０６に関連するＡ１０セッションが利用可能であることを認識し得、５１０において、「アクティブスタート」メッセージを送信し得、５１２において、Ａ１１登録応答メッセージを受信し得る。次いで、５１４において、ｅＨＲＰＤ上で必要とされる各パケットデータネットワーク（ＰＤＮ）接続のためにＶＳＮＣＰ動作が実行される。ＰＤＮ接続の場合、５１６において、以下でさらに説明するように、ＰＤＮ−ＩＤ、ＰＤＮタイプ、ＡＰＮ、ＰＤＮアドレス、プロトコル構成オプションおよびアタッチタイプを含み得る、ＶＳＣＮＰ構成要求(configure-request)メッセージが送信される。次いで、５１８において、ＨＳＧＷ２１４がＰＣＲＦ２３０を用いてゲートウェイ制御セッションセットアップを実行し得る。次いで、５２０において、プロキシモバイルＩＰ（ＰＭＩＰ）バインディング更新メッセージが送信され得、５２２において、ＱｏＳポリシーパラメータを取り出すためにＰ−ＧＷ２１８がＰＣＲＦインタラクションを実行し得る。次いで、５２４において、応答してＨＳＧＷ２１４にＰＭＩＰバインディング確認メッセージが送信され得る。この時点で、５２６において、ＨＳＧＷ２１４は、ＵＥにＶＳＮＣＰ構成確認(configure-ack)メッセージを送信し得、５２８において、ＶＳＮＣＰ構成要求メッセージを送信し得る。ＶＳＮＣＰ構成要求メッセージは、たとえば、ＰＤＮ−ＩＤおよびＩＰｖ４アドレスを含み得る。応答して、５３０において、ＵＥ２０６はＨＳＧＷ２１４にＶＳＮＣＰ構成確認メッセージを送信し得、次いで５３２において、ｅＨＲＰＤネットワーク上でのデータ転送が開始し得る。
【００５６】
図５に示したように、ハンドオフ中に実行される様々な動作は、トラフィックデータが交換され始め得る前に、著しい中断ギャップを引き起こすことがある。今説明した中断ギャップなどの中断ギャップは、「ノンオプティマイズド」ハンドオフを使用してリアルタイムサービスを展開することに関心があるオペレータにとって望ましくないか、許容できないことでさえあり得る。移動局（ＭＳ）が最初にＬＴＥシステム中で電源投入した場合、ＬＴＥからｅＨＲＰＤへのＭＳハンドオフが行われるとき、部分コンテキストがｅＨＲＰＤシステム中に存在しないことがある。別の例では、ＭＳがＬＴＥからｅＨＲＰＤへのノンオプティマイズド・ハンドオフを実行するとき、部分コンテキストが期限切れであることがある。したがって、一態様では、提案されるソリューションは、ｅＨＲＰＤセッションと部分コンテキストとを確立させ、ＵＥがＬＴＥからｅＨＲＰＤに移動する前にそれが更新されているようにすることである。このようにして、システムは、余分のハードウェアを追加すること、またはコストを増加させることなしに、中断ギャップを低減し得、ＬＴＥネットワークからｅＨＲＰＤネットワークへのハンドオフ中にリアルタイムサービスができるだけシームレスに継続するのを可能にするなど、それらに限定されるわけではないが、それらの様々な利点を提供し得る。
【００５７】
上述のように、部分コンテキストはＶＳＮＣＰコンテキストを含まないことがあるので、ＶＳＮＣＰコンテキストはハンドオフ中に確立され得、それはトラフィックが送られ得る前に、中断ギャップの増加をもたらす。一実装によれば、ＶＳＮＣＰコンテキストを確立するために要求される時間を低減するために、たとえば、データオーバーシグナリング（ＤｏＳ）を使用する、アクセスチャネルなどのシグナリングチャネルを通してＵＥ２０６からｅＨＲＰＤネットワークに１つまたは複数のＶＳＮＣＰ構成要求メッセージが送信され得る。さらに、以下でさらに説明するように、ＶＳＮＣＰコンテキストを確立するときに送られる必要とされるオクテットの数を低減するために、ＶＳＮＣＰメッセージのための新しい構成オプションが提供され得る。
【００５８】
図６は、ハンドオフが行われるときに図２の様々なエンティティの間で交換される信号フローを説明する別の例示的な信号フロー図を示す。詳細には、図６は、ＶＳＮＣＰコンテキスト確立動作によって生じる中断ギャップを低減するためにハンドオフ段階中に交換され得る信号を説明するフロー図の例を示す。図６に示すように、６０４において、ＵＥ２０６がｅＨＲＰＤへのハンドオフが必要であると判断したとき、６０２において、ＵＥがＥ−ＵＴＲＡネットワーク上で動作していることがある。ターゲットｅＨＲＰＤネットワークとの部分コンテキストがあらかじめ確立されていることがある。６０６において、パイロット取得およびオーバーヘッド更新が実行され得る。図５とは対照的に、トラフィックチャネルが確立される前に、６０８において、ＤｏＳを使用してシグナリングチャネル上でｅＡＮ／ｅＰＣＦ２１２にＶＳＮＣＰ構成要求メッセージとともに接続要求が送信され得る。たとえば、アクセスチャネルが使用され得る。この場合、ＶＳＮＣＰデータパケットによって使用されるオクテットの数は、最小値に低減される必要があり得る。次いで、６１０において、ｅＡＮ／ｅＰＣＦ２１２が、ＨＳＧＷ２１４にＶＳＮＣＰ構成要求メッセージを送信し得る。この時点で、６１２において、ＨＳＧＷ２１４は、ＰＣＲＦ２３０を用いてゲートウェイ制御セッションセットアップを実行することが可能である。次いで、６１４において、プロキシモバイルＩＰ（ＰＭＩＰ）バインディング更新メッセージが送信され得、６１６において、Ｐ−ＧＷ２１８が、たとえば、ＱｏＳポリシーパラメータを取り出すために、ＰＣＲＦインタラクションを実行し得る。次いで、６１８において、応答してＨＳＧＷ２１４にＰＭＩＰバインディング確認メッセージが送信され得る。シグナリングチャネルを使用してＶＳＮＣＰ構成要求メッセージを送ることは、トラフィックチャネルが確立される前または間にＶＳＮＣＰコンテキスト確立プロシージャが開始することを可能にし得る。このようにして、（ＰＭＩＰバインディングとともに）トラフィックチャネル確立とＶＳＮＣＰセットアッププロシージャとが並行して実行され得る。トラフィックチャネル確立はＶＳＮＣＰセットアップおよびＰＭＩＰバインディングよりも多くの時間を要し得るので、動作を並行して行うことは、ＶＳＮＣＰセットアップおよびＰＭＩＰバインディングに必要とされる時間を本質的に見えなくし得る。したがって、ＶＳＮＣＰセットアップおよびＰＭＩＰバインディングのために必要とされる時間は、中断ギャップにさらに寄与し得ない。したがって、ＶＳＮＣＰコンテキスト確立がトラフィックチャネルセットアップの完了に依存する必要がなくなり得るので、シグナリングチャネル上でＶＳＮＣＰ構成要求メッセージを送ることは、ハンドオフプロセス中の著しい時間節約をもたらし得る。
【００５９】
図６を続けると、６０８においてＵＥ２０６がＶＳＮＣＰ構成要求を送信した後、６２０においてトラフィックチャネルセットアッププロシージャが実行される。トラフィックチャネルセットアップは、ＶＳＮＣＰコンテキスト確立動作により、ほとんどまたはまったく中断ギャップがもたらされないように、６１０、６１２、６１４、６１６、および６１８においてメッセージが交換されるのと同時に実行され得る。６２０においてトラフィックチャネルがセットアップされた後、ＵＥ２０６が、ＵＥ２０６に関連するＡ１０セッションが利用可能であることを認識し得、６２２において「アクティブ開始」メッセージを送信し得、６２４においてＡ１１登録応答メッセージを受信し得る。この時点で、６２６において、ＨＳＧＷ２１４がＵＥ２０６にＶＳＮＣＰ構成確認メッセージを送信し得る。６２８において、ＨＳＧＷ２１４はまた、ＵＥ２０６にＶＳＮＣＰ構成要求メッセージを送信し得、６３０において、ＵＥ２０６は、応答してＨＳＧＷ２１４にＶＳＮＣＰ構成確認メッセージを送信し得る。６３２において、データ転送はまた、ｅＨＲＰＤ上で開始し得る。
【００６０】
図７Ａは、ＶＳＮＣＰメッセージフォーマットの例を示す。上述のように、ＶＳＮＣＰシグナリングデータパケットのサイズを縮小すること（たとえば、必要とされるオクテットの数を低減すること）は、シグナリングチャネルを通してＶＳＮＣＰ構成要求を送信することを促進し得、ハンドオフ中の中断ギャップを低減するための他の処理利点を提供し得る。ＶＳＮＣＰパケットに関連する様々な態様は、その全体の中に参照によりここに組み込まれる、Ｐｏｉｎｔ−ｔｏ−Ｐｏｉｎｔ  Ｐｒｏｔｏｃｏｌ（ＰＰＰ）Ｖｅｎｄｏｒ  Ｐｒｏｔｏｃｏｌと題するＲＦＣ３７７２にさらに記載されている。さらに、ＶＳＮＣＰパケットに関連する様々な態様は、その全体の中に参照によりここに組み込まれもする、Ｔｈｅ  Ｐｏｉｎｔ−ｔｏ−Ｐｏｉｎｔ  Ｐｒｏｔｏｃｏｌ（ＰＰＰ）と題するＲＦＣ１６６１にも記載されている。ＶＳＮＣＰパケットは、制御パケットのタイプを識別するために使用され得る１オクテットのコードフィールド７０２を含み得る。コードフィールド７０２は、ＶＳＮＣＰ構成要求コード、構成確認コード、構成否定(configure-nak)コード、構成拒否(configure-reject)コード、終了要求(terminate-request)コード、終了確認(terminate-ack)コード、およびコード拒否(code-reject)コードを含み得る、７つの異なるコードを使用するように構成され得る。一態様では、構成否定コードは使用されないことがあり、このコードとともに送られるメッセージは、コード拒否メッセージが応答して送信されることがある。ＶＳＮＣＰパケットはさらに、要求と応答をマッチさせるために使用され得る１オクテットの識別子フィールド７０４を含み得る。ＶＳＮＣＰパケットはまた、コードフィールド、識別子フィールド、長さフィールドおよびデータフィールドを含むパケットの全長を示すために使用される２オクテットの長さフィールド７０６を含み得る。ＶＳＮＣＰパケットはまた、特定のベンダーを識別するための３オクテットのベンダー組織固有識別子(organizationally unique identifier)（ＯＵＩ）７０８フィールドを含み得る。図７Ａに示すように、メッセージの残りは、さらに以下で説明するように、データ７１０を送るために割り振られる。
【００６１】
ハンドオフアタッチのためのＶＳＮＣＰ構成要求メッセージを送信するとき、メッセージは、データフィールド７１０中で送られるいくつかの構成オプションを含む。以下に含まれる表１は、３ＧＰＰ２  ＶＳＮＣＰの一実装で送信され得る様々な構成オプションのリストを提供する。
【表１−１】
0005992430.tif 000002
【表１−２】
0005992430.tif 000003
【００６２】
表１は、本開示の範囲内として企図される例および他の変形を表す。いくつかの実装では、構成オプション名は変わり得、タイプは非デシマル(non-decimal)値（たとえば、整数）によって表され得、非連続であり得、長さは変わり得、および／または有効値は示されているものよりも多くの値または少ない値を含み得る。たとえば、いくつかの実装では、５オクテットのアタッチタイプと１から６までの範囲の有効値とを有することが望ましいことがある。
【００６３】
表１で分かるように、構成オプションは、ＶＳＮＣＰ構成要求メッセージ中の多数のオクテットを占有し得、それは、ハンドオフ中の中断ギャップを増加させることに寄与し得、シグナリングチャネル上でＶＮＳＣＰ構成要求メッセージを送信することを困難にすることがある。上述の複数の構成オプションを送信するのではなく、ソースネットワークの構成とターゲットネットワークの構成との間の共通情報を活用し得る単一の構成オプションが提供され得る。たとえば、２つのネットワークの能力のうちの多くが共通であり得るので、ソースＬＴＥネットワークと通信しているターゲットｅＨＲＰＤネットワークによって構成オプションのうちの多くが取得され得る。
【００６４】
図７Ｂは、表１中の上述の構成オプションの代わりに、様々な実装に従って使用され得る単一の構成オプションの例を示す。新しい構成オプション７０３は、高速ハンドオフアタッチ構成オプションとして説明され得る。新しい構成オプションデータは、ＨＳＧＷ２１４がＰＤＮゲートウェイとの接続を確立するために必要とされる構成オプションのフルセットを取得または導出することを可能にするために十分な情報を、ｅＨＲＰＤネットワーク中のＨＳＧＷ２１４に提供するために、上記の表１中に記載された構成オプションからの必要なデータをカプセル化し得る。構成オプション７０３は、使用されている構成オプションタイプを示す１オクテットのタイプフィールド７１２によって識別され得る。構成オプションタイプは、現在定義されている構成オプションタイプとの重複を回避するように１０進値１８に設定され得る。
【００６５】
構成オプション７０３は、４ビットのＰＤＮ識別子フィールド７１４を含み得る。このフィールドの有効値は０〜１４の間であるように定義され得るので、４ビットのみが必要であり得る。いくつかの構成オプションが高速アタッチ構成オプションにカプセル化される(encapsulated)ので、表１中の構成オプションによって必要とされるタイプフィールドおよび長さフィールドは省略され得る。たとえば、ＰＤＮ識別子フィールドは、通常、３オクテットを必要とし得、そのうちの２オクテットは構成オプションのタイプフィールドおよび長さフィールドによって占有され得る。対照的に、構成オプション７０３は、他の構成オプションとともにちょうど４ビットのＰＤＮ−ＩＤ値を使用することを可能にする。構成オプション７０３は、複数のＰＤＮ接続の識別を可能にするために４ビットのユーザコンテキスト識別子フィールド７１６をさらに含み得る。構成オプション７０３はまた、ＡＰＮフィールド７２４によって必要とされるオクテットの数を指定するために使用され得る４ビットのＡＰＮ長さフィールド７１５を含む。構成オプション７０３は、ネットワーク主導型ＱｏＳ(network-initiated QoS)またはＵＥ主導型ＱｏＳ(UE-initiated QoS)のいずれかなど、どのタイプのサービス品質（ＱｏＳ）能力をネットワークがサポートし得るかを判断するために使用され得る１ビットのベアラ制御モジュールフィールド７１８をさらに含み得る。さらに、緊急サービス要求があるかどうかを判断するための１ビットの緊急フィールド７２０が提供され得る。２つの予約済みフィールド７２２も含まれ得る。
【００６６】
さらに、ＡＰＮフィールド７２４はまた構成オプション７０３メッセージ中に含まれ、ＵＥがそれと接続することを望むパケットデータネットワーク（ＰＤＮ）を識別するために使用される。表１に記載したように、ＡＰＮは、合計１００オクテットを必要とするように定義され得る。ここに提供する一実装によれば、ＡＰＮフィールド７２４の長さは、（４ビットのＡＰＮ長さフィールド７１５が指定し得る最大値である）１６オクテットに限定され得る。これは、構成オプション７０３によって必要とされるオクテットの最大数がメッセージの効率的な送信および処理のために十分に小さいままであることを保証するのに役立つ。さらに、ＡＰＮ長さフィールド７３４を使用することによって、ＡＰＮフィールド７２４中のオクテットの数は変わり得、ＡＰＮが１６オクテット未満を使用するときに構成オプション７０３のために必要とされるオクテットの低減された数を可能にし得る。
【００６７】
図７Ｂに記載されている構成オプション７０３を使用することによって、残りの構成オプションが送られ得ない。ＨＳＧＷ２１４が構成オプション７０３をもつＶＮＳＣＰメッセージを受信したとき、ＨＳＧＷは、その低減されたメッセージを、ＰＤＮ−ＧＷ２１８と通信するために必要とされるフォーマットに変換するために、部分コンテキストを使用して保持されたか、またはＬＴＥネットワークから取り出された共通情報を使用し得る。ＬＴＥネットワークとｅＨＲＰＤネットワークとの間の共通情報を使用し、構成オプションデータを構成オプション７０３にカプセル化し／低減することによって、ＶＳＮＣＰ構成要求メッセージのために必要とされるバイトの総数が著しく低減される。図７Ｂに示すように、ＶＳＮＣＰ構成要求メッセージ７０１の総サイズは、ＡＰＮフィールド７２４のための最大値１６バイトとともに、ＡＰＮフィールド７２４なしの構成オプションの３バイトとともに図７Ａに示したＶＳＣＮＰメッセージフォーマットヘッダフィールドのための７バイトを含む最大値２６バイトであり得る。図６に示したようにトラフィックチャネルが構成される前にシグナリングチャネル上でメッセージを送信することとともに図７Ａおよび図７Ｂに記載した低減されたサイズの構成要求メッセージを使用することによって、ＶＳＮＣＰコンテキストが確立されるために必要とされる時間が、トラフィックチャネル確立のために必要とされる時間以上に余分の時間を追加することなしに達成され得るので、中断ギャップは著しく低減され得る。
【００６８】
図７Ｃは、別の実装によるＶＳＮＣＰパケットデータフォーマットの例を示す。上述したように、制御パケットのタイプを識別するために使用されるコードフィールド７２６のために７つのコードが定義され得る。一実装によれば、構成要求メッセージとは別の追加のＶＳＮＣＰ制御メッセージ７０５を定義するために、第８のコードが追加され得る。この構成メッセージ７０５は、高速ハンドオフ要求メッセージとして説明され得る。メッセージフォーマットは、その場合、構成要求メッセージによって必要とされるフォーマットとは無関係に定義され得、したがって、図７Ｂに示した構成オプションのタイプフィールド７１２を指定する必要がないことがある。その結果、図７Ｂに示したフィールドのうちのいくつかが、１オクテットのタイプフィールド７１２の省略を伴って高速ハンドオフ要求メッセージ中に含まれ得る。さらに、３オクテットのＯＵＩフィールド７０８も、ＶＳＮＣＰデータメッセージフォーマット７０５から省略され得る。したがって、ＶＳＮＣＰデータメッセージフォーマット７０５のためのバイトの総数は、ＡＰＮフィールド７４２の最大値１６バイトとともにＶＳＮＣＰパケットヘッダと構成オプションとの４バイトの合計最大値２０バイトに低減され得る。
【００６９】
図７Ｂに記載したメッセージフォーマットでは、最大値において、ＡＰＮフィールド７２４は１６バイトまでを含むことができるので、ＡＰＮフィールド７２４はメッセージフォーマット７０３によって必要とされる総バイトの大部分を占有する。別の実装によれば、ＡＰＮフィールド７２４の必要をなくすために、図４を参照しながら上記で説明した事前登録段階が、ＡＰＮを事前構成するように変更され得る。より詳細には、ＡＰＮとＰＤＮ−ＩＤとの間のマッピングがＵＥ２０６からＨＳＧＷ２１４に送信され得る。ハンドオフが行われた後に、マッピングは削除され得る。次いで、以下でさらに詳細に説明するようにＡＰＮフィールド７２４とＡＰＮ長さフィールド７１５とを含むことなしに、図６を参照しながら上記で説明したようにハンドオフが実行され得る。
【００７０】
図８は、ハンドオフが行われる前に図２の様々なエンティティの間で交換される信号フローを説明する別の例示的な信号フロー図を示す。詳細には、図８は、今上述したような実装に従ってｅＨＲＰＤ  ＲＡＮとの部分コンテキストを確立するためにハンドオフが行われる前に交換され得る信号を説明するフロー図の例を示す。８０２において、ＵＥ２０６がｅＨＲＰＤを通して部分コンテキストを確立することを判断した後に、ＵＥは、８０４においてｅＨＲＰＤセッション確立を実行し、８０６においてｅＡＮ／ｅＰＣＦ２１２とのデバイス認証を（たとえば、Ａ１２認証を使用して）実行する。これの後に、８０８において、ＨＳＧＷ２１４とのＡ１０接続セットアップが続き得る。ＰＰＰ  ＬＣＰコンテキスト確立中に、８１０において、ＵＥは、ＡＰＮへのＰＤＮ−ＩＤのマッピングを含んでいるＬＣＰ構成要求メッセージをＨＳＧＷ２１４に送信し得る。８１２において、ＨＳＧＷ２１４がマッピングを受け付けた場合、ＬＣＰ構成確認メッセージ中で値が送信される。次いで、８１４において、ＨＳＧＷ２１４はＵＥ２０６にＬＣＰ構成要求メッセージを送信し、８１６において、ＵＥ２０６はＬＣＰ構成確認メッセージで応答する。この時点で、次いで、８１８ａ、８１８ｂおよび８１８ｃにおいて、ＥＡＰ−ＡＫＡ認証コンテキストが確立される。認証の後、８２０において、ＨＳＧＷ２１２が、加入者プロファイル、デフォルトアクセスポイント名（ＡＰＮ）、ネットワークアクセス識別子（ＮＡＩ）、および他の必要な情報をキャッシュし得る。次いで、８２２において、ＨＳＧＷは部分コンテキストを維持することができる。部分コンテキストが確立された後、８２４において、ＵＥはＥ−ＵＴＲＡネットワークに同調し得る。図８に示されていない他のＬＣＰメッセージも、ＨＳＧＷ２１４にマッピングを送信するために使用され得ることを諒解されたい。たとえば、ＬＣＰエコー要求および返答が、ベンダー固有のオプションとともに使用され得、またはベンダー固有のパケットが使用され得る。
【００７１】
ＨＳＧＷは、図８に示す事前登録段階中にＡＰＮへのＰＤＮ−ＩＤのマッピングを受信するように構成され得るので、ハンドオフ中に受信されたＰＤＮ識別子は関連するＡＰＮを識別するために十分であり得る。その結果、図７Ｂおよび図７Ｃに示したメッセージフォーマットは、ＡＰＮフィールドおよびＡＰＮ長さフィールドを除去するように変更され得る。
【００７２】
図９は、構成要求メッセージフォーマットを説明する例を示す。図９Ａおよび図９Ｂは、図８に示した事前登録段階など、事前登録段階での使用のために、変更されたＶＮＳＣＰパケットデータフォーマットの例を示す。図９Ａは、表１に記載され、および図７Ｂに同様に示された構成オプションの代わりに使用される単一の構成オプション９０１を示す。図９Ａでは、ＡＰＮ長さフィールドおよびＡＰＮフィールドは省略される。その結果、示されている実装では、必要とされるバイトの総数は、ＶＳＣＮＰメッセージフォーマットヘッダに必要とされる７バイト、および新しい構成オプション９０１を指定するタイプフィールド９０２と図７Ｂを参照しながら説明した他のフィールドとのための２バイトを含む９バイトであり得る。図９Ｂは図７Ｃに対応し、タイプフィールド９０２とＯＵＩフィールド７０８との除去を可能にする、さらに提供されたＶＳＮＣＰ高速ハンドオフ要求メッセージを識別するための第８のコードを定義する。図９Ｂでは、ＡＰＮフィールドおよびＡＰＮ長さフィールドはまた、図８に示した事前登録段階に関連して省略され得る。その結果、図９Ｂに示すように、必要とされるＶＳＮＣＰメッセージフォーマットは合計３バイトであり得る。
【００７３】
図１０は、ワイヤレス通信システムにおけるハンドオフの方法のプロセスフロー図を示す。ブロック１００２において、方法を実装するデバイスは、第１のネットワークにアタッチし、それとのコンテキストを作成する。デバイスは、データ非アクティビティ期間中にアタッチするように構成され得る。いくつかの実装では、第１のネットワークは、第２のネットワークと比較して好適でないネットワークであり得る。ブロック１００４において、第１のネットワークとの少なくとも部分コンテキストを維持しながら、第１のネットワークとの作成されたコンテキストに基づいて第２のネットワークへの接続が確立される。
【００７４】
図１１は、ソースネットワークからターゲットネットワークへのワイヤレスデバイスのハンドオフに関連する情報を通信するための方法の例を示す。ブロック１０−１において、ＵＥが、シグナリングチャネルを使用して、パケットデータネットワークへの接続を確立するための要求をターゲットネットワークに送信し得る。要求は、図７Ｂに関して上記でさらに説明したように、ＶＳＮＣＰ構成要求メッセージであり得る。構成要求メッセージは、上述のように単一の構成オプションメッセージを含み得る。さらに、要求は、図７ＣによるＶＳＮＣＰ高速ハンドオフ要求メッセージであり得る。いくつかの実装では、要求は、電源投入など、データ非アクティビティ期間中に送信され得る。したがって、要求は、ハンドオフの必要に先立って送信され得る。シグナリングチャネルは、たとえば、アクセスチャネルであり得、要求は、データオーバーシグナリング（ＤｏＳ）を使用するアクセスチャネル上で送信され得る。ブロック１０−２において、ＵＥは、ターゲットネットワーク上でトラフィックチャネルを確立するためのプロシージャを開始し得る。ブロック１０−２において、トラフィックチャネルが構成される前にパケットデータネットワークへの接続を確立するための要求が送信され得る。
【００７５】
図１２は、通信システムにおける様々なコンポーネントの機能ブロック図の例を示す。上記で説明したシステムおよび方法によって示される、ここにおける教示は、少なくとも１つの他のノードと通信するための様々なコンポーネントを使用するノード（たとえば、デバイス）に組み込まれ得る。図１２は、ノード間の通信を促進するために使用され得るいくつかのサンプルコンポーネントを示す。詳細には、図１２は、多入力多出力（ＭＩＭＯ）システム１２００の第１のワイヤレスデバイス１２１０（たとえば、アクセスポイント）および第２のワイヤレスデバイス１２５０（たとえば、アクセス端末）の簡易ブロック図である。第１のデバイス１２１０では、いくつかのデータストリームのトラフィックデータが、データソース１２１２から送信（ＴＸ）データプロセッサ１２１４に提供される。
【００７６】
いくつかの態様では、各データストリームは、それぞれの送信アンテナを通して送信される。ＴＸデータプロセッサ１２１４は、コード化されたデータを提供するために各データストリーム用に選択された特定のコーディングスキームに基づいて、各データストリームのためにトラフィックデータをフォーマットし、コード化し、インターリーブする。
【００７７】
各データストリームのコード化されたデータは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、多重化された、パイロットデータおよび各データストリームのコード化されたデータは、変調シンボルを提供するために、そのデータストリーム用に選択された特定の変調スキーム（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１２３０によって実行される命令によって判断され得る。データメモリ１２３２は、プロセッサ１２３０またはデバイス１２１０の他のコンポーネントによって使用されるプログラムコード、データ、および他の情報を記憶し得る。
【００７８】
次いで、データストリームの変調シンボルがＴＸ  ＭＩＭＯプロセッサ１２２０に提供され、それはさらに（たとえば、ＯＦＤＭ用に）その変調シンボルを処理し得る。次いで、ＴＸ  ＭＩＭＯプロセッサ１２２０は、ＮＴ個の変調シンボルストリームをＮＴ個のトランシーバ（ＸＣＶＲ）１２２２Ａ〜１２２２Ｔに提供する。いくつかの態様では、ＴＸ  ＭＩＭＯプロセッサ１２２０は、データストリームのシンボルと、それからシンボルが送信されているアンテナとにビームフォーミング重みを付加する。
【００７９】
各トランシーバ１２２２は、１つまたは複数のアナログ信号を提供するために、それぞれのシンボルストリームを受信し、処理して、さらに、ＭＩＭＯチャネルを通して送信するのに適した変調された信号を提供するために、それらのアナログ信号を調整(condition)（たとえば、増幅、フィルタ処理、およびアップコンバート）する。次いで、トランシーバ１２２２Ａ〜１２２２ＴからのＮＴ個の変調された信号は、それぞれ、ＮＴ個のアンテナ１２２４Ａ〜１２２４Ｔから送信される。
【００８０】
第２のデバイス１２５０では、送信された変調された信号はＮＲ個のアンテナ１２５２Ａ〜１２５２Ｒによって受信され、各アンテナ１２５２からの受信された信号は、それぞれのトランシーバ（ＸＣＶＲ）１２５４Ａ〜１２５４Ｒに提供される。各トランシーバ１２５４は、それぞれの受信された信号を調整（たとえば、フィルタ処理、増幅、およびダウンコンバート）し、サンプルを提供するために、調整された信号をデジタル化して、さらに対応する「受信された」シンボルストリームを提供するために、それらのサンプルを処理する。
【００８１】
次いで、受信（ＲＸ）データプロセッサ１２６０は、ＮＴ個の「検出された」シンボルストリームを提供するために、特定の受信機処理技法に基づいてＮＲ個のトランシーバ１２５４からＮＲ個の受信されたシンボルストリームを受信し、処理する。次いで、ＲＸデータプロセッサ１２６０は、データストリームのトラフィックデータを回復するために、各検出されたシンボルストリームを復調し、デインターリーブし、復号する。ＲＸデータプロセッサ１２６０による処理は、デバイス１２１０におけるＴＸ  ＭＩＭＯプロセッサ１２２０およびＴＸデータプロセッサ１２１４によって実行される処理を補足するものである。
【００８２】
プロセッサ１２７０は、どのプリコーディング行列（以下で論じる）を使用すべきかを定期的に判断する。プロセッサ１２７０は、行列インデックス部とランク値部とを備える逆方向リンクメッセージを作成する(formulate)。データメモリ１２７２は、プロセッサ１２７０または第２のデバイス１２５０の他のコンポーネントによって使用されるプログラムコード、データおよび他の情報を記憶し得る。
【００８３】
逆方向リンクメッセージは、通信リンクおよび／または受信データストリームに関する様々なタイプの情報を備え得る。次いで、逆方向リンクメッセージは、データソース１２３６からいくつかのデータストリームのトラフィックデータをも受信するＴＸデータプロセッサ１２３８によって処理され、変調器１２８０によって変調され、トランシーバ１２５４Ａ〜１２５４Ｒによって調整され、デバイス１２１０に戻される。
【００８４】
デバイス１２１０では、第２のデバイス１２５０からの変調された信号は、第２のデバイス１２５０によって送信された逆方向リンクメッセージが抽出するために、アンテナ１２２４によって受信され、トランシーバ１２２２によって調整され、復調器（ＤＥＭＯＤ）１２４０によって復調され、ＲＸデータプロセッサ１２４２によって処理される。次いで、プロセッサ１２３０は、ビームフォーミング重みを判断するためにどのプリコーディング行列を使用すべきかを判断し、次いで、抽出されたメッセージを処理する。
【００８５】
図１２はまた、通信コンポーネントが、ここに教示するアクセス制御動作を実行する１つまたは複数のコンポーネントを含み得ることを示す。たとえば、アクセス制御コンポーネント１２９０は、ここに教示する別のデバイス（たとえば、デバイス１２５０）に／から信号を送信／受信するために、デバイス１２１０のプロセッサ１２３０および／または他のコンポーネントと連携し得る。同様に、アクセス制御コンポーネント１２９２は、別のデバイス（たとえば、デバイス１２１０）に／から信号を送信／受信するために、デバイス１２５０のプロセッサ１２７０および／または他のコンポーネントと連携し得る。各デバイス１２１０および１２５０について、説明するコンポーネントのうちの２つ以上の機能が単一のコンポーネントによって提供され得ることを諒解されたい。たとえば、単一の処理コンポーネントがアクセス制御コンポーネント１２９０およびプロセッサ１２３０の機能を提供し得、単一の処理コンポーネントがアクセス制御コンポーネント１２９２およびプロセッサ１２７０の機能を提供し得る。さらに、図３を参照しながら説明した装置１２００のコンポーネントは、図１２のコンポーネントと統合され／に組み込まれ得る。
【００８６】
図１３は、別のワイヤレス通信デバイスの機能ブロック図を示す。ワイヤレス通信デバイスが、図１３に示す簡略化されたワイヤレス通信デバイス１３００よりも多くのコンポーネントを有し得ることを、当業者ならば諒解されよう。図示するワイヤレス通信デバイス１３００は、クレームの範囲内の実装のいくつかの顕著な特徴について説明するために有用なそれらのコンポーネントのみを含む。ワイヤレス通信デバイス１３００は、アタッチおよび作成回路１３０２と、接続回路１３０４とを含む。
【００８７】
アタッチおよび作成回路１３０２は、データ非アクティビティ期間中に、第１のネットワークにアタッチし、それとのコンテキストを作成するように構成され得る。アタッチおよび作成回路１９０２は、アンテナ、トランシーバ、およびデジタル信号プロセッサのうちの１つまたは複数を含み得る。いくつかの実装では、アタッチし、作成するための手段は、アタッチおよび作成回路１３０２を含み得る。
【００８８】
接続回路１３０４は、第１のネットワークとの少なくとも部分コンテキストを維持しながら、第１のネットワークとの作成されたコンテキストに基づいて第２のネットワークに接続するように構成され得る。接続回路１３０４は、アンテナ、トランシーバ、およびデジタル信号プロセッサのうちの１つまたは複数を含み得る。いくつかの実装では、接続するための手段は、接続回路１３０４を含む。
【００８９】
図１４は、ワイヤレス通信システムにおけるノンオプティマイズド・ハンドオフのための例示的なプロセスフローを示す。フローの実装は、上述の方法またはデバイスの１つまたは複数を含み得る。ブロック１４０２において、ネットワークアクセスを望むデバイスは、電源投入時などのデータ非アクティビティ期間中にある。デバイスは、たとえば、モバイルフォンであり得る。ブロック１４０４において、デバイスは、ｅＨＲＰＤネットワークなど、第１のネットワークにアタッチし、それとのコンテキストを確立する。ｅＨＲＰＤネットワークは、デバイスのための好適なネットワークではないことがある。デバイスは、複数の好適でないネットワークとアタッチし、それとのコンテキストを確立し得る。しかしながら、明確にするため、第１の好適でないネットワークと第２の好適なネットワークとを含む実装が説明される。
【００９０】
ブロック１４０６において、デバイスは、ＬＴＥネットワークなど、第２のネットワークにアタッチし、それとのコンテキストを確立する。ＬＴＥネットワークは、ｅＨＲＰＤネットワークと比較して好適なネットワークであり得る。ブロック１４０８において、デバイスは、第２のネットワークを介して通信を開始する。デバイスは、一般に、１つのアクティブコンテキストを有し得るので、第１のネットワークとの元のコンテキストは休止状態(dormant)である。並行して、決定ブロック１４１０において、第１のネットワークとのフルコンテキストが期限切れになり得る。たとえば、いくつかの実装では、ｅＨＲＰＤ接続が使用されない場合、たとえば、ネットワークリソースを節約するのを助けるために、リンクの全部または一部分が閉じられ得る。第１のネットワークのフルコンテキストが期限切れになっていない場合、フローはループし続け、周期的に有効期限について検査する。第１のネットワークのフルコンテキストが期限切れになった場合、ブロック１４１２において、第１のネットワークとの部分コンテキストが維持される。たとえば、ｅＨＲＰＤアクセスノードを介したデバイスからＨＲＰＤゲートウェイへのリンクなど、デバイスへのｅＨＲＰＤネットワークリンクの一部分が維持され得、ゲートウェイからＩＰアンカーへのリンクはデバイスに対して閉じられ得る。したがって、いくつかの実装では、部分コンテキストは、ネットワーク用のゲートウェイ（たとえば、ＨＲＰＤゲートウェイ）によって維持され得る。
【００９１】
決定ブロック１４１４において、第２のネットワークへの接続が維持される限り、通信は継続する。決定ブロック１４１４が第２のネットワークへの接続がまだ有効(alive)であると判断した場合、フローはブロック１４１０に戻る。決定ブロック１４１４が、（たとえば、劣悪なワイヤレス信号状態により）接続がドロップされたと判断した場合、フローはブロック１４１６に続く。ブロック１４１６において、デバイスは、シグナリングチャネルを介して第１のネットワークに回復要求を送信する。シグナリングチャネルを使用することによって、回復プロセスは、ネットワークとのトラフィックチャネルを確立した後に回復要求を送る場合よりもすぐに進み得る。ブロック１４１８において、トラフィックチャネルは第１のネットワークのために取得される。この時点で、ブロック１４２０において、第１のネットワーク上でデバイスのためのコンテキストが回復され、通信が継続し得る。このようにして、第２のネットワークから第１のネットワークへのハンドオフは、部分コンテキストが使用されない実装においてよりもより効率的な方法で達成される。さらに、ハンドオフは、コンテキストを回復することが、コンテキストを回復するより前にトラフィックチャネルを確立することに依存する実装においてよりも効率的に達成される。
【００９２】
ここにおける「第１」、「第２」などの名称を使用した要素への言及は、それらの要素の数量または順序を概括的に限定するものでないことを理解されたい。むしろ、これらの名称は、ここにおいて２つ以上の要素またはある要素の複数の例を区別する便利な方法として使用され得る。したがって、第１および第２の要素への言及は、そこで２つの要素のみが使用され得ること、または第１の要素が何らかの方法で第２の要素に先行しなければならないことを意味するものではない。また、別段の規定がない限り、要素のセットは１つまたは複数の要素を含み得る。
【００９３】
情報および信号は多種多様な技術および技法のいずれかを使用して表され得ることを、当業者なら理解されよう。たとえば、上記の説明全体にわたって言及され得るデータ、命令、コマンド、情報、信号、ビット、シンボル、およびチップは、電圧、電流、電磁波、磁場または磁性粒子、光場(optical fields)または光学粒子、あるいはそれらの任意の組合せによって表され得る。
【００９４】
さらに、ここに開示された態様に関連して説明した様々な実例となる論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装、アナログ実装、またはそれら２つの組合せ）、命令を組み込んだ様々な形態のプログラムまたは設計コード（便宜上、ここでは「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な実例となるコンポーネント、ブロック、モジュール、回路、およびステップが、上記では概してそれらの機能に関して説明された。そのような機能がハードウェアとして実装されるか、ソフトウェアとして実装されるかは、特定のアプリケーションおよび全体的なシステムに課された設計制約に依存する。当業者は、説明した機能を特定のアプリケーションごとに様々な方法で実装し得るが、そのような実装の決定は、本開示の範囲からの逸脱(departure)を生じるものと解釈すべきではない。
【００９５】
ここに開示した態様に関連して、および図１〜図１２に関して説明した様々な実例となる論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェアコンポーネント、電気コンポーネント、光学コンポーネント、機械コンポーネント、またはここに説明する機能を実行するように設計されたそれらの任意の組合せを含み得、ＩＣ内に、ＩＣの外部に、またはその両方に存在する(reside)コードまたは命令を実行し得る。論理ブロック、モジュール、および回路は、ネットワーク内またはデバイス内の様々なコンポーネントと通信するためにアンテナおよび／またはトランシーバを含み得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連結する１つまたは複数のマイクロプロセッサ、あるいは任意の他のそのような構成として実装され得る。モジュールの機能は、ここに教示した方法とは別の何らかの方法で実装され得る。（たとえば、添付の図の１つまたは複数に関して）ここに説明した機能は、いくつかの態様では、添付のクレームにおいて同様に指定された「手段(means for)」機能に対応し得る。
【００９６】
ソフトウェアで実装した場合、機能は、１つまたは複数の命令またはコードとしてコンピュータ可読媒体上に記憶され得るか、あるいはコンピュータ可読媒体を通して送信され得る。ここに開示した方法またはアルゴリズムのステップは、コンピュータ可読媒体上に存在し得る、プロセッサ実行可能ソフトウェアモジュールで実装され得る。コンピュータ可読媒体は、ある場所から別の場所にコンピュータプログラムを転送することを可能にされ得る任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望のプログラムコードを記憶するために使用され得、コンピュータによってアクセスされ得る、任意の他の媒体を含み得る。また、いかなる接続もコンピュータ可読媒体と適切に呼ばれ得る。ここに使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、この場合、ディスク（disk）は、通常、データを磁気的に再生し(reproduce)、ディスク（disc）は、データをレーザーで光学的に再生する(reproduce)。上記の組合せもコンピュータ可読媒体の範囲内に含めるべきである。さらに、方法またはアルゴリズムの動作は、コンピュータプログラム製品に組み込まれ得る、機械可読媒体およびコンピュータ可読媒体上のコードおよび命令の１つまたは任意の組合せ、あるいはそのセットとして存在し得る。
【００９７】
任意の開示されたプロセス中のステップの任意の特定の順序または階層(hierarchy)はサンプル手法の一例であることを理解されたい。設計プリファレンスに基づいて、プロセス中のステップの特定の順序または階層は本開示の範囲内のまま再構成され得ることを理解されたい。添付の方法クレームは、様々なステップの要素をサンプル順序で提示したものであり、提示された特定の順序または階層に限定されるものではない。
【００９８】
本開示で説明する実装への様々な修正は当業者には容易に明らかであり得、ここに定義した一般的な原理は、本開示の精神または範囲から逸脱することなく他の実装に適用され得る。したがって、本開示は、ここに示した実装に限定されるものではなく、ここに開示するクレーム、原理および新しい特徴に一致する、最も広い範囲を与られるべきである。「例示的」という単語は、ここではもっぱら「例、事例、または例示の働きをすること」を意味するために使用される。ここに「例示的」と記載されたいかなる実施も、必ずしも他の実装よりも好ましいまたは有利であると解釈されるべきではない。
【００９９】
また、別個の実装に関して本明細書で説明されたいくつかの特徴は、単一の実装において組合せで実装され得る。また、逆に、単一の実装に関して説明された様々な特徴は、複数の実装において別個に、あるいは任意の適切なサブコンビネーションで実装され得る。その上、特徴は、いくつかの組合せで働くものとして上記で説明され得、初めにそのようにクレームされることさえあるが、クレームされる組合せからの１つまたは複数の特徴は、場合によってはその組合せから削除され得、クレームされる組合せは、サブコンビネーション、またはサブコンビネーションの変形に向けられ得る。
【０１００】
同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。いくつかの状況では、マルチタスキングおよび並列処理が有利であり得る。その上、上記で説明した実装における様々なシステムコンポーネントの分離は、すべての実装においてそのような分離を必要とするものとして理解されるべきでなく、説明するプログラムコンポーネントおよびシステムは、概して、単一のソフトウェア製品において互いに一体化されるか、または複数のソフトウェア製品にパッケージングされ得ることを理解されたい。さらに、他の実装が以下のクレームの範囲内にある。場合によっては、クレームに記載のアクションは、異なる順序で実行され得、依然として望ましい結果を達成することができる。
以下に、本願出願の当初の特許請求の範囲に記載された発明を付記する。
［１］下記を備える、ワイヤレス通信システムにおけるハンドオフの方法、
データ非アクティビティ期間中に、第１のネットワークにアタッチし、それとのコンテキストを作成することであって、前記第１のネットワークが第２のネットワークと比較して好適でないネットワークである、アタッチし、コンテキストを作成することと、
前記第１のネットワークとの少なくとも部分コンテキストを維持しながら、前記第１のネットワークとの作成された前記コンテキストに基づいて前記第２のネットワークに接続すること。
［２］前記第２のネットワークの非可用性に基づいて前記第２のネットワークから前記第１のネットワークに切り替えることをさらに備える、［１］に記載の方法。
［３］切り替えることが、前記元のコンテキストを回復することを備える、［２］に記載の方法。
［４］前記フルコンテキストを回復することが、
シグナリングチャネルを使用して、パケットデータネットワークへの接続を確立するための要求を前記第１のネットワークに送信することと、
前記第１のネットワーク上でトラフィックチャネルを確立することと
を備え、
ここにおいて前記トラフィックチャネルが確立される前に、前記パケットデータネットワークへの接続を確立するための前記要求が送信される、［３］に記載の方法。
［５］前記シグナリングチャネル上で前記要求を前記送信することが、データオーバーシグナリングを使用して前記要求を送信することを備え、ここにおいて前記シグナリングチャネルがアクセスチャネルを備える、［４］に記載の方法。
［６］パケットデータネットワークへの接続を確立するための前記要求が単一構成オプションメッセージをさらに備え、前記単一構成オプションメッセージが、少なくともアクセスポイント名とアクセスポイント名の長さとを備える、［４］に記載の方法。
［７］前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、［６］に記載の方法。
［８］パケットデータネットワークへの接続を確立するための前記要求が、ベンダー固有のネットワーク制御プロトコル高速ハンドオフ要求メッセージをさらに備える、［４］に記載の方法。
［９］前記方法が、
前記部分コンテキストが確立されるときに、少なくとも１つのアクセスポイント名への少なくとも１つのパケットデータネットワーク識別子のマッピングを送信することをさらに備える、［４］に記載の方法。
［１０］前記コンテキストを作成することが、パケットデータネットワーク識別子を含むパケットデータネットワークへの接続を確立するための要求を送信することを備え、ここにおいて前記ターゲットネットワークが、前記パケットデータネットワーク識別子に関連するアクセスポイント名を判断するために前記マッピングを使用するように構成された、［９］に記載の方法。
［１１］前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、［１］に記載の方法。
［１２］通信ネットワークにおいて作用するワイヤレス通信装置であって、前記装置は下記を備える、
データ非アクティビティ期間中に、第１のネットワークにアタッチし、それとのコンテキストを作成することであって、前記第１のネットワークが第２のネットワークと比較して好適でないネットワークである、アタッチし、コンテキストを作成することと、
前記第１のネットワークとの少なくとも部分コンテキストを維持しながら、前記第１のネットワークとの作成された前記コンテキストに基づいて前記第２のネットワークに接続することと
を行うように構成されたプロセッサ。
［１３］前記プロセッサが、前記第２のネットワークの非可用性に基づいて前記第２のネットワークから前記第１のネットワークに切り替えるようにさらに構成された、［１２］に記載のワイヤレス通信装置。
［１４］切り替えることが、前記元のコンテキストを回復することを備える、［１３］に記載のワイヤレス通信装置。
［１５］前記元のコンテキストを回復することが、
シグナリングチャネルを使用して、パケットデータネットワークへの接続を確立するための要求を前記第１のネットワークに送信することと、
前記第１のネットワーク上でトラフィックチャネルを確立することと
を備え、
ここにおいて前記トラフィックチャネルが確立される前に、前記パケットデータネットワークへの接続を確立するための前記要求が送信される、［１４］に記載のワイヤレス通信装置。
［１６］前記プロセッサが、データオーバーシグナリングを使用して、前記パケットデータネットワークへの接続を確立するための前記要求を送信するように構成され、ここにおいて前記シグナリングチャネルがアクセスチャネルを備える、［１５］に記載のワイヤレス通信装置。
［１７］パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、［１５］に記載のワイヤレス通信装置。
［１８］前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、［１７］に記載のワイヤレス通信装置。
［１９］パケットデータネットワークへの接続を確立するための前記要求が、ベンダー固有のネットワーク制御プロトコル高速ハンドオフ要求メッセージをさらに備える、［１５］に記載のワイヤレス通信装置。
［２０］前記プロセッサが、
前記部分コンテキストが確立されるときに、少なくとも１つのアクセスポイント名への少なくとも１つのパケットデータネットワーク識別子のマッピングを送信するようにさらに構成された、［１５］に記載のワイヤレス通信装置。
［２１］パケットデータネットワークへの接続を確立するための前記要求が、パケットデータネットワーク識別子を備え、ここにおいて前記第１のネットワークが、前記パケットデータネットワーク識別子に関連するアクセスポイント名を判断するために前記マッピングを使用するように構成された、［２０］に記載のワイヤレス通信装置。
［２２］前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、［１２］に記載のワイヤレス通信装置。
［２３］通信ネットワークにおいて作用するワイヤレス通信装置であって、前記装置は下記を備える、
データ非アクティビティ期間中に、第１のネットワークにアタッチし、それとのコンテキストを作成するための手段であって、前記第１のネットワークが前記第２のネットワークと比較して好適でないネットワークである、アタッチし、コンテキストを作成するための手段と、
前記第１のネットワークとの少なくとも部分コンテキストを維持しながら、前記第１のネットワークとの作成された前記コンテキストに基づいて前記第２のネットワークに接続するための手段。
［２４］前記第２のネットワークの非可用性に基づいて前記第２のネットワークから前記第１のネットワークに切り替えるための手段をさらに備える、［２３］に記載のワイヤレス通信装置。
［２５］前記切り替えるための手段が、前記元のコンテキストを回復するための手段に結合される、［２４］に記載のワイヤレス通信装置。
［２６］前記復元するための手段が、
シグナリングチャネルを使用して、パケットデータネットワークへの接続を確立するための要求を前記第１のネットワークに送信するための手段と、
前記第１のネットワーク上でトラフィックチャネルの前記確立を開始するための手段と
を備え、
ここにおいて前記トラフィックチャネルが確立される前に、前記パケットデータネットワークへの接続を確立するための前記要求が送信される、［２５］に記載のワイヤレス通信装置。
［２７］パケットデータネットワークへの接続を確立するための要求を送信するための前記手段が、データオーバーシグナリングを使用して前記要求を送信するための手段をさらに備え、ここにおいて前記シグナリングチャネルがアクセスチャネルを備える、［２６］に記載のワイヤレス通信装置。
［２８］パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、［２６］に記載のワイヤレス通信装置。
［２９］前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、［２８］に記載のワイヤレス通信装置。
［３０］パケットデータネットワークへの接続を確立するための前記要求が、ベンダー固有のネットワーク制御プロトコル高速ハンドオフ要求メッセージをさらに備える、［２６］に記載のワイヤレス通信装置。
［３１］前記装置が、
前記部分コンテキストが確立されるときに、少なくとも１つのアクセスポイント名への少なくとも１つのパケットデータネットワーク識別子のマッピングを送信するための手段をさらに備える、［２６］に記載のワイヤレス通信装置。
［３２］パケットデータネットワークへの接続を確立するための前記要求が、パケットデータネットワーク識別子を備え、ここにおいて前記ターゲットネットワークが、前記パケットデータネットワーク識別子に関連するアクセスポイント名を判断するために前記マッピングを使用するように構成された、［３１］に記載のワイヤレス通信装置。
［３３］前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、［２３］に記載のワイヤレス通信装置。
［３４］データ非アクティビティ期間中に、第１のネットワークにアタッチし、それとのコンテキストを作成することであって、前記第１のネットワークが第２のネットワークと比較して好適でないネットワークである、アタッチし、コンテキストを作成することをコンピュータに行わせるためのコードと、
前記第１のネットワークとの少なくとも部分コンテキストを維持しながら、前記第１のネットワークとの作成された前記コンテキストに基づいて前記第２のネットワークに接続することをコンピュータに行わせるためのコードと
を備えるコンピュータ可読媒体
を備える、コンピュータプログラム製品。
［３５］コンピュータに前記第２のネットワークの非可用性に基づいて前記第２のネットワークから前記第１のネットワークに切り替えさせるためのコードをさらに備える、［３４］に記載のコンピュータプログラム製品。
［３６］切り替えることが、前記元のコンテキストを回復することを備える、［３５］に記載のコンピュータプログラム製品。
［３７］前記コンピュータ可読媒体が、
コンピュータに、シグナリングチャネルを使用して、パケットデータネットワークへの接続を確立するための要求を前記第１のネットワークに送信させるためのコードと、
コンピュータに前記第１のネットワーク上でトラフィックチャネルの前記確立を開始させるためのコードと
をさらに備え、
前記トラフィックチャネルが確立される前に、前記パケットデータネットワークへの接続を確立するための前記要求が送信される、［３６］に記載のコンピュータプログラム製品。
［３８］コンピュータにシグナリングチャネル上で前記要求を送信させるための前記コードが、データオーバーシグナリングを使用して前記要求を送信するためのコードをさらに備え、ここにおいて前記シグナリングチャネルがアクセスチャネルを備える、［３７］に記載のコンピュータプログラム製品。
［３９］パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、［３７］に記載のコンピュータプログラム製品。
［４０］前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、［３９］に記載のコンピュータプログラム製品。
［４１］パケットデータネットワークへの接続を確立するための前記要求が、ベンダー固有のネットワーク制御プロトコル高速ハンドオフ要求メッセージをさらに備える、［３７］に記載のコンピュータプログラム製品。
［４２］前記コンピュータ可読媒体が、
前記部分コンテキストが確立されるときに、少なくとも１つのアクセスポイント名への少なくとも１つのパケットデータネットワーク識別子のマッピングを送信するためのコードをさらに備える、［３７］に記載のコンピュータプログラム製品。
［４３］パケットデータネットワークへの接続を確立するための前記要求が、パケットデータネットワーク識別子を備え、ここにおいて前記ターゲットネットワークが、前記パケットデータネットワーク識別子に関連するアクセスポイント名を判断するために前記マッピングを使用するように構成された、［４２］に記載のコンピュータプログラム製品。
［４４］前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、［３４］に記載のコンピュータプログラム製品。
【図１】
0005992430.tif 000004
【図２】
0005992430.tif 000005
【図３】
0005992430.tif 000006
【図４】
0005992430.tif 000007
【図５】
0005992430.tif 000008
【図６】
0005992430.tif 000009
【図７Ａ】
0005992430.tif 000010
【図７Ｂ】
0005992430.tif 000011
【図７Ｃ】
0005992430.tif 000012
【図８】
0005992430.tif 000013
【図９Ａ】
0005992430.tif 000014
【図９Ｂ】
0005992430.tif 000015
【図１０】
0005992430.tif 000016
【図１１】
0005992430.tif 000017
【図１２】
0005992430.tif 000018
【図１３】
0005992430.tif 000019
【図１４】
0005992430.tif 000020